(57)【要約】【課題】ファイアウォールを介してインターネット接続された情報管理装置と通信し、端末装置と近距離無線通信を行う場合にあって、情報管理装置がより多くのデータ量のデータの取得が必要と判断した端末装置に対し、その旨の指示情報を、その端末装置に送信することができる中継装置を提供する。【解決手段】中継装置の第１通信手段は、情報管理装置と通信し、第２通信手段は、端末装置と近距離無線通信を行い、記憶手段は、情報管理装置から、第１通信手段を用いて、端末装置の識別情報と第２モードで動作する旨の指示であるモード指示情報とを取得して記憶し、制御手段は、第２通信手段を用いて接続された端末装置が第２モードでの動作が必要な端末装置である場合、第２モードでの動作を指示するモード指示情報を端末装置に送信し、端末装置から第２通信手段を用いて取得したデータを、情報管理装置へ第１通信手段を用いて送信するように制御する。【選択図】図１
2020205508.tif 000002
【特許請求の範囲】
【請求項１】
ファイアウォールを介してインターネット接続された情報管理装置と通信する第１通信手段と、
端末装置と近距離無線通信を行う第２通信手段と、
前記情報管理装置から、前記第１通信手段を用いて、前記端末装置を識別する情報と第１モードより多いデータ量のデータを取得する第２モードで動作する旨の指示情報であるモード指示情報とを取得して記憶する記憶手段と、
前記第２通信手段を用いて接続された前記端末装置が前記第２モードでの動作が必要な端末装置である場合、前記第２モードでの動作を指示するモード指示情報を該端末装置に送信し、
前記端末装置から前記第２通信手段を用いて取得したデータを、前記情報管理装置へ前記第１通信手段を用いて送信するように制御する制御手段
を有する中継装置。
【請求項２】
前記第２通信手段は、
前記記憶手段に記憶された端末装置を識別する情報を含む広告情報を出力し、前記識別する情報に対応する端末装置から接続要求を受け付けると、該端末装置との間で接続を確立する、
請求項１に記載の中継装置。
【請求項３】
前記第２通信手段は、
前記端末装置が出力する広告情報を受信し、受信した広告情報に前記記憶手段に記憶された前記端末装置を識別する情報が含まれている場合、該端末装置との間で接続を確立する、
請求項１に記載の中継装置。
【請求項４】
前記広告情報には、通信接続のための接続情報を含み、該接続情報を用いて前記端末装置との接続を確立する、
請求項２又は３に記載の中継装置。
【請求項５】
前記接続情報は、アドレス情報又はパスコード情報の少なくとも１つを含む、
請求項４に記載の中継装置。
【請求項６】
前記情報管理装置から取得した情報に、前記記憶手段に記憶された詳細データを取得すべき端末装置の識別情報がない場合、前記端末装置に対して、前記第１モードで動作する旨の指示情報であるモード指示情報を送信し、該端末装置との前記第２通信手段を用いた接続を解除する、
請求項１に記載の中継装置。
【請求項７】
前記端末装置から取得した情報に、第２モードでの送信が不要である旨の情報が含まれていた場合、該端末装置との前記第２通信手段を用いた接続を解除する、
請求項１に記載の中継装置。
【請求項８】
更に、前記端末装置に対して、前記第１モードで動作する旨の指示情報であるモード指示情報を送信する、
請求項７に記載の中継装置。
【請求項９】
前記第２モードでの送信が不要である旨の情報は、前記情報管理装置から前記端末装置へ、前記第１通信手段による通信ではなく、前記第２通信手段による近距離無線通信でもない通信であって、前記情報管理装置から前記端末装置への通信によって送信された情報である、
請求項７に記載の中継装置。
【請求項１０】
前記端末装置が出力する広告情報を受信し、該広告情報に前記記憶手段に記憶された前記端末装置を識別する情報が含まれていない場合、前記第２通信手段を用いて接続を確立し、前記第１モードで動作する旨の指示情報であるモード指示情報を該端末装置に送信し、その後、該端末装置との前記第２通信手段を用いた接続を解除する、
請求項１に記載の中継装置。
【請求項１１】
前記制御手段は、前記第１通信手段を用いて、定期的な時間に前記情報管理装置との通信を行い、該情報管理装置から前記端末装置を識別する情報と前記モード指示情報とを取得し、前記記憶手段に記憶させる、
請求項１に記載の中継装置。
【請求項１２】
前記制御手段は、前記端末装置と前記近距離無線通信ができるようになる前に、前記定期的な通信を行うように制御する、
請求項１１に記載の中継装置。
【請求項１３】
ファイアウォールを介してインターネット接続された情報管理装置と通信する第１通信手段と、
端末装置と近距離無線通信を行う第２通信手段と、
前記情報管理装置から、前記第１通信手段を用いて、前記端末装置を識別する情報と第１モードより多いデータ量のデータを取得する第２モードで動作する旨の指示情報であるモード指示情報とを取得して記憶する記憶手段と、
前記第２通信手段を用いて接続された前記端末装置が前記第２モードでの動作が必要な端末装置である場合、前記第２モードでの動作を指示するモード指示情報を該端末装置に送信し、
前記端末装置から前記第２通信手段を用いて取得したデータを、前記情報管理装置へ前記第１通信手段を用いて送信するように制御する第１制御手段
を有する中継装置と、
端末装置と携帯電話通信網の基地局との間の携帯電話通信で扱うデータには少なくとも２つ以上の領域があり、該領域のうち第１領域は他の領域である第２領域よりも少ないデータ量であり、該第１領域内に該端末装置で取得されたデータが含まれており、該第１領域のみの送受信をする通信方式を用いて該基地局を介して、ファイアウォール外の前記情報管理装置との間でデータの送受信を行う第３通信手段と、
ファイアウォール内の前記中継装置と近距離無線通信する第４通信手段と、
データを取得する第１データ取得手段と、
前記第１データ取得手段が取得するデータより多くのデータを取得する第２データ取得手段と、
前記第１モードである場合、前記第１データ取得手段が取得したデータを、前記第３通信手段を用いて前記情報管理装置に送信し、前記第２モードである場合、前記第２データ取得手段が取得したデータを、前記第４通信手段を用いて前記情報管理装置に送信するように制御する第２制御手段
を有する端末装置
を有する情報処理システム。
【請求項１４】
前記端末装置の前記第２制御手段は、
前記第４通信手段が前記中継装置から前記モード指示情報を受信した場合は、前記第２データ取得手段が取得したデータを、前記第４通信手段を用いて前記情報管理装置に送信するように制御する、
請求項１３に記載の情報処理システム。
【請求項１５】
前記端末装置の前記第２制御手段は、
前記第３通信手段が前記情報管理装置から前記第２モードでの送信が不要である旨の情報を受信した場合は、前記第１データ取得手段が取得したデータを、前記第３通信手段を用いて前記情報管理装置に送信するように制御する、
請求項１３に記載の情報処理システム。
【請求項１６】
前記端末装置の前記第２制御手段は、
前記第３通信手段が前記情報管理装置から前記第２モードでの送信が不要である旨の情報を受信した場合は、前記中継装置との前記第４通信手段を用いた接続を解除する、
請求項１５に記載の情報処理システム。
【請求項１７】
コンピュータを、
ファイアウォールを介してインターネット接続された情報管理装置と通信する第１通信手段と、
端末装置と近距離無線通信を行う第２通信手段と、
前記情報管理装置から、前記第１通信手段を用いて、前記端末装置を識別する情報と第１モードより多いデータ量のデータを取得する第２モードで動作する旨の指示情報であるモード指示情報とを取得して記憶する記憶手段と、
前記第２通信手段を用いて接続された前記端末装置が前記第２モードでの動作が必要な端末装置である場合、前記第２モードでの動作を指示するモード指示情報を該端末装置に送信し、
前記端末装置から前記第２通信手段を用いて取得したデータを、前記情報管理装置へ前記第１通信手段を用いて送信するように制御する制御手段
として機能させるための中継処理プログラム。
【発明の詳細な説明】
【技術分野】
【０００１】
本発明は、中継装置、情報処理システム及び中継処理プログラムに関する。
【背景技術】
【０００２】
特許文献１には、無線電話機能を有すると共に低コストで高速転送の無線通信を実現する携帯型情報機器及び回線切替え方法を提供することを課題とし、携帯電話機は、無線電話回線及び前記無線電話回線のうちの一方が選択的に使用されるように切替えを行うようになっており、無線電話回線を通じて送られてくるデータの受信の禁止を設定したり、データ送信の際には無線ＬＡＮ回線が優先的に使用されるよう設定したりすることが可能であり、社内専用線上の情報機器と通信を行う際に無線ＬＡＮ回線を使用すれば、企業側のシステムによって通信費を低減でき、また、データ転送の際に介在する媒体の種類が少なく、高い転送速度を実現できることが開示されている。
【先行技術文献】
【特許文献】
【０００３】
【特許文献１】特開２００３−１１０７５１号公報
【発明の概要】
【発明が解決しようとする課題】
【０００４】
端末装置が取得したデータを情報管理装置に送信し、情報処理装置が受信し収集したデータを管理することが行われている場合にあって、情報管理装置側が、端末装置に対して、収集するデータ量の調整を行いたいことがある。端末装置と情報管理装置との間でファイアウォールを介してインターネット接続されている場合、ファイアウォールは端末装置から情報管理装置への情報取得要求に対する応答の情報は通過させるが、情報管理装置が自発的に端末装置に対して送信する情報は遮断することから、情報管理装置から端末装置に対して、指示を行うことはできない。
本発明は、ファイアウォールを介してインターネット接続された情報管理装置と通信し、端末装置と近距離無線通信を行う場合にあって、情報管理装置がより多くのデータ量のデータの取得が必要と判断した端末装置に対し、その旨の指示情報を、その端末装置に送信することができる中継装置、情報処理システム及び中継処理プログラムを提供することを目的としている。
【課題を解決するための手段】
【０００５】
かかる目的を達成するための本発明の要旨とするところは、次の各項の発明に存する。
請求項１の発明は、ファイアウォールを介してインターネット接続された情報管理装置と通信する第１通信手段と、端末装置と近距離無線通信を行う第２通信手段と、前記情報管理装置から、前記第１通信手段を用いて、前記端末装置を識別する情報と第１モードより多いデータ量のデータを取得する第２モードで動作する旨の指示情報であるモード指示情報とを取得して記憶する記憶手段と、前記第２通信手段を用いて接続された前記端末装置が前記第２モードでの動作が必要な端末装置である場合、前記第２モードでの動作を指示するモード指示情報を該端末装置に送信し、前記端末装置から前記第２通信手段を用いて取得したデータを、前記情報管理装置へ前記第１通信手段を用いて送信するように制御する制御手段を有する中継装置である。
【０００６】
請求項２の発明は、前記第２通信手段は、前記記憶手段に記憶された端末装置を識別する情報を含む広告情報を出力し、前記識別する情報に対応する端末装置から接続要求を受け付けると、該端末装置との間で接続を確立する、請求項１に記載の中継装置である。
【０００７】
請求項３の発明は、前記第２通信手段は、前記端末装置が出力する広告情報を受信し、受信した広告情報に前記記憶手段に記憶された前記端末装置を識別する情報が含まれている場合、該端末装置との間で接続を確立する、請求項１に記載の中継装置である。
【０００８】
請求項４の発明は、前記広告情報には、通信接続のための接続情報を含み、該接続情報を用いて前記端末装置との接続を確立する、請求項２又は３に記載の中継装置である。
【０００９】
請求項５の発明は、前記接続情報は、アドレス情報又はパスコード情報の少なくとも１つを含む、請求項４に記載の中継装置である。
【００１０】
請求項６の発明は、前記情報管理装置から取得した情報に、前記記憶手段に記憶された詳細データを取得すべき端末装置の識別情報がない場合、前記端末装置に対して、前記第１モードで動作する旨の指示情報であるモード指示情報を送信し、該端末装置との前記第２通信手段を用いた接続を解除する、請求項１に記載の中継装置である。
【００１１】
請求項７の発明は、前記端末装置から取得した情報に、第２モードでの送信が不要である旨の情報が含まれていた場合、該端末装置との前記第２通信手段を用いた接続を解除する、請求項１に記載の中継装置である。
【００１２】
請求項８の発明は、更に、前記端末装置に対して、前記第１モードで動作する旨の指示情報であるモード指示情報を送信する、請求項７に記載の中継装置である。
【００１３】
請求項９の発明は、前記第２モードでの送信が不要である旨の情報は、前記情報管理装置から前記端末装置へ、前記第１通信手段による通信ではなく、前記第２通信手段による近距離無線通信でもない通信であって、前記情報管理装置から前記端末装置への通信によって送信された情報である、請求項７に記載の中継装置である。
【００１４】
請求項１０の発明は、前記端末装置が出力する広告情報を受信し、該広告情報に前記記憶手段に記憶された前記端末装置を識別する情報が含まれていない場合、前記第２通信手段を用いて接続を確立し、前記第１モードで動作する旨の指示情報であるモード指示情報を該端末装置に送信し、その後、該端末装置との前記第２通信手段を用いた接続を解除する、請求項１に記載の中継装置である。
【００１５】
請求項１１の発明は、前記制御手段は、前記第１通信手段を用いて、定期的な時間に前記情報管理装置との通信を行い、該情報管理装置から前記端末装置を識別する情報と前記モード指示情報とを取得し、前記記憶手段に記憶させる、請求項１に記載の中継装置である。
【００１６】
請求項１２の発明は、前記制御手段は、前記端末装置と前記近距離無線通信ができるようになる前に、前記定期的な通信を行うように制御する、請求項１１に記載の中継装置である。
【００１７】
請求項１３の発明は、ファイアウォールを介してインターネット接続された情報管理装置と通信する第１通信手段と、端末装置と近距離無線通信を行う第２通信手段と、前記情報管理装置から、前記第１通信手段を用いて、前記端末装置を識別する情報と第１モードより多いデータ量のデータを取得する第２モードで動作する旨の指示情報であるモード指示情報とを取得して記憶する記憶手段と、前記第２通信手段を用いて接続された前記端末装置が前記第２モードでの動作が必要な端末装置である場合、前記第２モードでの動作を指示するモード指示情報を該端末装置に送信し、前記端末装置から前記第２通信手段を用いて取得したデータを、前記情報管理装置へ前記第１通信手段を用いて送信するように制御する第１制御手段を有する中継装置と、端末装置と携帯電話通信網の基地局との間の携帯電話通信で扱うデータには少なくとも２つ以上の領域があり、該領域のうち第１領域は他の領域である第２領域よりも少ないデータ量であり、該第１領域内に該端末装置で取得されたデータが含まれており、該第１領域のみの送受信をする通信方式を用いて該基地局を介して、ファイアウォール外の前記情報管理装置との間でデータの送受信を行う第３通信手段と、ファイアウォール内の前記中継装置と近距離無線通信する第４通信手段と、データを取得する第１データ取得手段と、前記第１データ取得手段が取得するデータより多くのデータを取得する第２データ取得手段と、前記第１モードである場合、前記第１データ取得手段が取得したデータを、前記第３通信手段を用いて前記情報管理装置に送信し、前記第２モードである場合、前記第２データ取得手段が取得したデータを、前記第４通信手段を用いて前記情報管理装置に送信するように制御する第２制御手段を有する端末装置を有する情報処理システムである。
【００１８】
請求項１４の発明は、前記端末装置の前記第２制御手段は、前記第４通信手段が前記中継装置から前記モード指示情報を受信した場合は、前記第２データ取得手段が取得したデータを、前記第４通信手段を用いて前記情報管理装置に送信するように制御する、請求項１３に記載の情報処理システムである。
【００１９】
請求項１５の発明は、前記端末装置の前記第２制御手段は、前記第３通信手段が前記情報管理装置から前記第２モードでの送信が不要である旨の情報を受信した場合は、前記第１データ取得手段が取得したデータを、前記第３通信手段を用いて前記情報管理装置に送信するように制御する、請求項１３に記載の情報処理システムである。
【００２０】
請求項１６の発明は、前記端末装置の前記第２制御手段は、前記第３通信手段が前記情報管理装置から前記第２モードでの送信が不要である旨の情報を受信した場合は、前記中継装置との前記第４通信手段を用いた接続を解除する、請求項１５に記載の情報処理システムである。
【００２１】
請求項１７の発明は、コンピュータを、ファイアウォールを介してインターネット接続された情報管理装置と通信する第１通信手段と、端末装置と近距離無線通信を行う第２通信手段と、前記情報管理装置から、前記第１通信手段を用いて、前記端末装置を識別する情報と第１モードより多いデータ量のデータを取得する第２モードで動作する旨の指示情報であるモード指示情報とを取得して記憶する記憶手段と、前記第２通信手段を用いて接続された前記端末装置が前記第２モードでの動作が必要な端末装置である場合、前記第２モードでの動作を指示するモード指示情報を該端末装置に送信し、前記端末装置から前記第２通信手段を用いて取得したデータを、前記情報管理装置へ前記第１通信手段を用いて送信するように制御する制御手段として機能させるための中継処理プログラムである。
【発明の効果】
【００２２】
請求項１の中継装置によれば、ファイアウォールを介してインターネット接続された情報管理装置と通信し、端末装置と近距離無線通信を行う場合にあって、情報管理装置がより多くのデータ量のデータの取得が必要と判断した端末装置に対し、その旨の指示情報を、その端末装置に送信することができる。
【００２３】
請求項２の中継装置によれば、広告情報を出力することによって、接続すべき端末装置との間で通信を確立することができる。
【００２４】
請求項３の中継装置によれば、広告情報を受信することによって、接続すべき端末装置との間で通信を確立することができる。
【００２５】
請求項４の中継装置によれば、通信接続のための接続情報を含む広告情報を用いて、接続すべき端末装置との間で通信を確立することができる。
【００２６】
請求項５の中継装置によれば、接続情報として、アドレス情報又はパスコード情報の少なくとも１つを用いることができる。
【００２７】
請求項６の中継装置によれば、端末装置を第１モードで動作させ、その端末装置との第２通信手段を用いた接続を解除することができる。
【００２８】
請求項７の中継装置によれば、端末装置から取得した情報に、第２モードでの送信が不要である旨の情報が含まれていた場合、その端末装置との第２通信手段を用いた接続を解除することができる。
【００２９】
請求項８の中継装置によれば、端末装置を第１モードで動作させることができる。
【００３０】
請求項９の中継装置によれば、第２モードでの送信が不要である旨の情報として、情報管理装置から端末装置への通信によって送信された情報を用いることができる。
【００３１】
請求項１０の中継装置によれば、第１モードで動作する端末装置との第２通信手段を用いた接続を解除することができる。
【００３２】
請求項１１の中継装置によれば、定期的な時間に、情報管理装置から端末装置を識別する情報とモード指示情報とを取得することができる。
【００３３】
請求項１２の中継装置によれば、端末装置と近距離無線通信ができるようになる前に、情報管理装置から端末装置を識別する情報とモード指示情報とを取得することができる。
【００３４】
請求項１３の情報処理システムによれば、中継装置は、ファイアウォールを介してインターネット接続された情報管理装置と通信し、端末装置と近距離無線通信を行う場合にあって、情報管理装置がより多くのデータ量のデータの取得が必要と判断した端末装置に対し、その旨の指示情報を、その端末装置に送信することができる。
【００３５】
請求項１４の情報処理システムによれば、端末装置は、第２モードでは、第２データ取得手段が取得したデータを、中継装置を介して情報管理装置に送信することができる。
【００３６】
請求項１５の情報処理システムによれば、端末装置は、第２モードでの送信が不要である旨の情報を受信した場合、第１データ取得手段が取得したデータを、第３通信手段を用いて情報管理装置に送信することができる。
【００３７】
請求項１６の情報処理システムによれば、端末装置は、第２モードでの送信が不要である旨の情報を受信した場合、中継装置との接続を解除することができる。
【００３８】
請求項１７の中継処理プログラムによれば、ファイアウォールを介してインターネット接続された情報管理装置と通信し、端末装置と近距離無線通信を行う場合にあって、情報管理装置がより多くのデータ量のデータの取得が必要と判断した端末装置に対し、その旨の指示情報を、その端末装置に送信することができる。
【図面の簡単な説明】
【００３９】
【図１】本実施の形態である中継装置の構成例についての概念的なモジュール構成図である。
【図２】本実施の形態である端末装置の構成例についての概念的なモジュール構成図である。
【図３】本実施の形態である情報管理装置の構成例についての概念的なモジュール構成図である。
【図４】本実施の形態を利用したシステム構成例を示す説明図である。
【図５】本実施の形態による処理例（１）を示すチャートである。
【図６】送信データのデータ構造例を示す説明図である。
【図７】ユーザー・端末装置対応テーブルのデータ構造例を示す説明図である。
【図８】ユーザー管理テーブルのデータ構造例を示す説明図である。
【図９】端末装置・位置対応テーブルのデータ構造例を示す説明図である。
【図１０】ユーザー・計測データ対応テーブルのデータ構造例を示す説明図である。
【図１１】指示情報テーブルのデータ構造例を示す説明図である。
【図１２】送信データのデータ構造例を示す説明図である。
【図１３】本実施の形態による処理例を示すフローチャートである。
【図１４】中継装置・位置対応テーブルのデータ構造例を示す説明図である。
【図１５】中継装置・端末装置ペア管理テーブルのデータ構造例を示す説明図である。
【図１６】本実施の形態による処理例を示すフローチャートである。
【図１７】本実施の形態による処理例を示すフローチャートである。
【図１８】本実施の形態による処理例（２）を示すチャートである。
【図１９】本実施の形態による処理例（３）を示すチャートである。
【図２０】本実施の形態を実現するコンピュータのハードウェア構成例を示すブロック図である。
【図２１】本実施の形態を実現するコンピュータのハードウェア構成例を示すブロック図である。
【発明を実施するための形態】
【００４０】
以下、図面に基づき本発明を実現するにあたっての好適な一実施の形態の例を説明する。
図１は、本実施の形態である中継装置１００の構成例についての概念的なモジュール構成図を示している。
なお、モジュールとは、一般的に論理的に分離可能なソフトウェア（「ソフトウェア」の解釈として、コンピュータ・プログラムを含む）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（例えば、コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（例えば、データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（「２以上の値」には、もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（「ネットワーク」には、一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（つまり、社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスクドライブ、ＲＡＭ（Ｒａｎｄｏｍ  Ａｃｃｅｓｓ  Ｍｅｍｏｒｙの略）、外部記憶媒体、通信回線を介した記憶装置、ＣＰＵ（Ｃｅｎｔｒａｌ  Ｐｒｏｃｅｓｓｉｎｇ  Ｕｎｉｔの略）内のレジスタ等を含んでいてもよい。
【００４１】
本実施の形態である中継装置１００は、端末装置２００と情報管理装置３００との通信を中継する機能を有しており、図１の例に示すように、通信Ａモジュール１０５、通信Ｂモジュール１１０、記憶モジュール１１５、制御モジュール１２０を有している。なお、中継装置１００は、ファイアウォール３５０によって、インターネットを通して侵入してくる不正なアクセスから保護されている。
【００４２】
通信Ａモジュール１０５は、記憶モジュール１１５、制御モジュール１２０と接続されており、また、インターネット通信３５５、ファイアウォール３５０を介して情報管理装置３００と接続されている。通信Ａモジュール１０５は、ファイアウォール３５０を介してインターネット接続された情報管理装置３００と通信する。ファイアウォール３５０を介しているので、内部の中継装置１００から外部の情報管理装置３００に対しての通信は可能であるが、情報管理装置３００から直接中継装置１００に対して通信することはできない。ただし、中継装置１００から情報管理装置３００に情報を送信した後に、情報管理装置３００から中継装置１００に前記した情報の送信に対する応答の情報を返信する場合は、ファイアウォール３５０はこの情報を通過させることによって、中継装置１００は、情報管理装置３００からの情報を受け取ることができる。「情報管理装置３００からの情報」として、例えば、端末装置２００のモード（具体的には、第１モード又は第２モード）の指定がある。なお、第１モード、第２モードについては後述する。
【００４３】
通信Ｂモジュール１１０は、制御モジュール１２０と接続されており、また、近距離無線通信１５５を介して端末装置２００と接続されている。通信Ｂモジュール１１０は、端末装置２００と近距離無線通信１５５を行う。近距離無線通信１５５として、例えば、Ｂｌｕｅｔｏｏｔｈ（登録商標）、Ｗｉ−Ｆｉ等がある。具体的には、ＢＬＥ（Ｂｌｕｅｔｏｏｔｈ  Ｌｏｗ  Ｅｎｅｒｇｙの略）、Ｗｉ−Ｆｉ−Ｄｉｒｅｃｔ等がある。また、近距離無線通信１５５に、近接無線通信を含めてもよい。なお、近距離無線通信１５５は、長距離無線通信２５５よりも多くのデータ量のデータを送信するのに適している。ただし、長距離無線通信２５５における消費電力は、近距離無線通信１５５における消費電力よりも少ない。したがって、端末装置２００が情報管理装置３００にデータを送信するにあたって、少ない量のデータを送信する場合は長距離無線通信２５５が適しており、多い量のデータを送信する場合は中継装置１００を介して送信することが適している。なお、「中継装置１００を介して送信」とは、結局、端末装置２００と中継装置１００との間の通信は近距離無線通信１５５、中継装置１００と情報管理装置３００の間の通信はインターネット通信３５５を用いることになる。
【００４４】
記憶モジュール１１５は、通信Ａモジュール１０５、制御モジュール１２０と接続されている。記憶モジュール１１５は、端末装置２００を識別する情報と第１モードより多いデータ量のデータを取得する第２モードで動作する旨の指示情報であるモード指示情報とを記憶している。例えば、端末装置２００の識別情報とモード指示情報とを対応させて記憶するテーブルであってもよい。
なお、記憶モジュール１１５に記憶される情報は、情報管理装置３００から、通信Ａモジュール１０５を用いて取得した情報である。
【００４５】
制御モジュール１２０は、通信Ａモジュール１０５、通信Ｂモジュール１１０、記憶モジュール１１５と接続されている。制御モジュール１２０は、通信Ｂモジュール１１０を用いて接続された端末装置２００が第２モードでの動作が必要な端末装置である場合、第２モードでの動作を指示するモード指示情報を、その端末装置２００に送信するように制御する。
そして、制御モジュール１２０は、端末装置２００から通信Ｂモジュール１１０を用いて取得したデータを、情報管理装置３００へ通信Ａモジュール１０５を用いて送信するように制御する。この制御は、端末装置２００から情報管理装置３００への通信を中継しているものである。
ここで「第１モード」は、第２モードよりも少ないデータ量のデータを取得するモードであって、いわゆる通常モードである。以下、第１モードを通常モードともいう。また「第２モード」は、第１モードよりも多いデータ量のデータを取得するモードであって、いわゆる詳細モードである。以下、第２モードを詳細モードともいう。第２モードでは、第１モードよりも１回の通信でのデータ量を多くしてもよいし、単位時間における通信回数を多く（又は、通信間隔を短く）してもよい。
【００４６】
「モード指示情報」は、第１モードで動作する旨の指示情報である場合、第２モードで動作する旨の指示情報である場合がある。いずれの場合も、この指示が行われる前の状態は、規定していない。つまり、第１モードで動作する旨の指示情報である場合、第２モードから第１モードへの切り替えであってもよいし、例えば、電源オン直後の（いわゆる「まっさらな状態」の）端末装置２００のように、モードが不定である場合は、第１モードで動作するよう設定するようにしてもよい。同様に、第２モードで動作する旨の指示情報である場合、第１モードから第２モードへの切り替えであってもよいし、例えば、電源オン直後の端末装置２００のように、モードが不定である場合は、第２モードで動作するよう設定するようにしてもよい。
【００４７】
また、通信Ｂモジュール１１０は、記憶モジュール１１５に記憶された端末装置２００を識別する情報を含む広告情報を出力し、その識別する情報に対応する端末装置２００から接続要求を受け付けると、その端末装置２００との間で接続を確立するようにしてもよい。「記憶モジュール１１５に記憶された端末装置２００を識別する情報」とは、第２モードにすべき端末装置２００の識別情報である。
また、「広告情報を出力」として、同じ情報を複数の端末装置２００に対して（一般的には、同時に）送信することであり、技術として、例えば、通信方式としてビーコン、ブロードキャスト通信等が該当し、広告される情報としてはアドバタイジングパケット等で実現し、端末装置２００を識別する情報や通信接続のための情報等が含まれる。
この処理については、図１８の例を用いて後述する。
【００４８】
また、通信Ｂモジュール１１０は、端末装置２００が出力する広告情報を受信し、受信した広告情報に記憶モジュール１１５に記憶された端末装置２００を識別する情報が含まれている場合、その端末装置２００との間で接続を確立するようにしてもよい。
この処理については、図５の例を用いて後述する。
【００４９】
なお、前述の広告情報には、通信接続のための接続情報を含み、通信Ｂモジュール１１０は、その接続情報を用いて端末装置２００との接続を確立するようにしてもよい。具体的には、接続情報は、アドレス情報又はパスコード情報の少なくとも１つを含む。広告情報を送信した側（端末装置２００又は中継装置１００）を示すアドレス情報又はパスコード情報が含まれていれば、通信Ｂモジュール１１０は、近距離無線通信１５５の通信プロトコルにしたがって、端末装置２００と通信を行うことができるようになる。もちろんのことながら、端末装置２００も、近距離無線通信１５５の通信プロトコルにしたがって、中継装置１００と通信を行うことができるようになる。
【００５０】
情報管理装置３００から取得した情報に、記憶モジュール１１５に記憶された詳細データを取得すべき端末装置２００の識別情報がない場合、制御モジュール１２０は、対象となっている端末装置２００に対して、第１モードで動作する旨の指示情報であるモード指示情報を送信し、その端末装置２００との通信Ｂモジュール１１０を用いた接続を解除するように制御してもよい。つまり、第２モードから第１モードにすべき端末装置２００に対して、通信Ｂモジュール１１０は、第１モードにさせるモード指示情報を送信する。もちろんのことながら、その端末装置２００は、そのモード指示情報を受信して、自分自身を第１モードに設定する。そして、通信Ｂモジュール１１０は、その端末装置２００に対しては、中継装置１００が情報管理装置３００との間の通信を中継する必要がないので、その端末装置２００との接続を解除する。
情報管理装置３００から第２モードにすべき端末装置２００のリストを取得したときに、以前は第２モードであった端末装置２００に対する第２モードにすべき指示がなかった場合は、第１モードに切り替えるようにしたものである。
【００５１】
また、制御モジュール１２０は、端末装置２００から取得した情報に、第２モードでの送信が不要である旨の情報が含まれていた場合、その端末装置２００との通信Ｂモジュール１１０を用いた接続を解除するようにしてもよい。つまり、第２モードである端末装置２００から、第２モードから第１モードにするとの情報を受け取った場合には、通信Ｂモジュール１１０は、その端末装置２００に対しては、中継装置１００が情報管理装置３００との間の通信を中継する必要がないので、その端末装置２００との接続を解除する。
ここで「第２モードでの送信が不要である旨の情報」は、第１モードで動作する旨の指示情報であるモード指示情報であってもよい。
【００５２】
更に、その端末装置２００に対して、第１モードで動作する旨の指示情報であるモード指示情報を送信するようにしてもよい。もちろんのことながら、その端末装置２００との接続を解除する前に、その端末装置２００に対して、第１モードで動作する旨の指示情報であるモード指示情報を送信する。このようにしているのは、端末装置２００は、中継装置１００からモード指示情報を受信した場合にのみ、モードを設定するようにした場合であっても対応できるようにしたものである。つまり、端末装置２００は、情報管理装置３００から第１モードで動作する旨の指示情報であるモード指示情報を受信した場合であっても、中継装置１００から第１モードで動作する旨の指示情報であるモード指示情報を受信しなければ、第１モードに設定しないような設定になっている場合に対応できるようにしている。
また、「第２モードでの送信が不要である旨の情報」は、情報管理装置３００から端末装置２００へ、通信Ａモジュール１０５による通信ではなく、通信Ｂモジュール１１０による近距離無線通信１５５でもない通信であって、情報管理装置３００から端末装置２００への通信によって送信された情報である。
ここで、「情報管理装置３００から端末装置２００へ、通信Ａモジュール１０５による通信ではなく、通信Ｂモジュール１１０による近距離無線通信１５５でもない通信であって、情報管理装置３００から端末装置２００への通信」とは、本中継装置１００を介さずに、情報管理装置３００から端末装置２００へ直接に通信することである。
【００５３】
また、端末装置２００が出力する広告情報を受信し、その広告情報に記憶モジュール１１５に記憶された端末装置２００を識別する情報が含まれていない場合、通信Ｂモジュール１１０を用いて接続を確立し、第１モードで動作する旨の指示情報であるモード指示情報を、その端末装置２００に送信し、その後、その端末装置２００との通信Ｂモジュール１１０を用いた接続を解除するように制御してもよい。
第２モードである端末装置２００との接続だけを維持し、第１モードである端末装置２００とは接続しないことで、中継装置１００のネットワーク接続の負荷を低減するようにしている。この処理については、図５の例を用いて後述する。
【００５４】
制御モジュール１２０は、通信Ａモジュール１０５を用いて、定期的な時間に情報管理装置３００との通信を行い、その情報管理装置３００から端末装置２００を識別する情報とモード指示情報とを取得し、記憶モジュール１１５に記憶させるようにしてもよい。
ここで「定期的な時間」における周期として、１２時間毎としてもよいし、１日毎としてもよいし、１週間毎としてもよいし、１ヶ月毎等としてもよい。この「１日毎」として、例えば、毎朝（具体的には、予め定められた出勤時刻より以前の時刻）等がある。
そして、制御モジュール１２０は、端末装置２００と近距離無線通信１５５ができるようになる前に、定期的な通信を行うように制御するようにしてもよい。
ここで「端末装置２００と近距離無線通信１５５ができるようになる前」として、端末装置２００が中継装置１００と近距離無線通信１５５ができない状況であることをいう。例えば、端末装置２００がウェアラブルコンピュータである場合、出社時刻前のように、ウェアラブルコンピュータを身についている人物が周辺にいない状況等が該当する。より具体的には、情報管理装置３００が、退社時刻後に、各人のウェアラブルコンピュータから取得した健康情報を解析し、より詳細なデータ取得を必要とする人物を抽出する。そして、出社時刻前に、中継装置１００から情報管理装置３００に定期的なアクセスがあり、その際に、中継装置１００は情報管理装置３００から、その人物のウェアラブルコンピュータの識別情報とモード指示情報を受信すればよい。
【００５５】
端末装置２００は、近距離無線通信１５５を介して中継装置１００の通信Ｂモジュール１１０と接続されており、また、長距離無線通信２５５を介して情報管理装置３００と接続されている。端末装置２００については、図２の例を用いて後述する。
情報管理装置３００は、ファイアウォール３５０、インターネット通信３５５を介して中継装置１００の通信Ａモジュール１０５と接続されており、また、長距離無線通信２５５を介して端末装置２００と接続されている。情報管理装置３００については、図３の例を用いて後述する。
【００５６】
図２は、本実施の形態である端末装置２００の構成例についての概念的なモジュール構成図を示している。
端末装置２００は、通信Ｃモジュール２０５、通信Ｄモジュール２１０、データ取得Ｃモジュール２１５、データ取得Ｄモジュール２２０、センサー２２５ａ、センサー２２５ｂ、センサー２２５ｃ、センサー２２５ｄ、制御モジュール２３０を有している。
なお、端末装置２００は、少なくとも２つの通信手段（基地局を介した通信方式Ｃ（長距離無線通信２５５）、中継装置１００を介した通信方式Ｄ（近距離無線通信１５５））を有しており、データを取得し、そのデータをいずれかの通信手段で情報管理装置３００に送信するものである。例えば、ＩｏＴ（Ｉｎｔｅｒｎｅｔ  ｏｆ  Ｔｈｉｎｇｓの略）端末といわれるものを含む。具体的には、人体に関する情報（生体情報ともいわれており、より具体的には、体温、心拍数情報、心電図情報、又は、体温情報等）を検知することができる携帯情報通信機器（携帯情報通信機器として、携帯電話、スマートフォン、モバイル機器、又は、ウェアラブルコンピュータ等を含む）、建物の状況（気温、湿度、又は、橋等の建築物のひずみ等）を検知するセンサー付き通信機器（温湿度計、又は、ひずみゲージ等）、又は、気象情報（気温、湿度、気圧、明るさ、紫外線、又は、騒音等）を検知するセンサー付き通信機器（温湿度計、又は、気象センサー等）等がある。
【００５７】
通信Ｃモジュール２０５は、データ取得Ｃモジュール２１５、制御モジュール２３０と接続されており、また、長距離無線通信２５５を介して情報管理装置３００と接続されている。通信Ｃモジュール２０５は、端末装置２００と携帯電話通信網の基地局との間の携帯電話通信で扱うデータには少なくとも２つ以上の領域があり、その領域のうち第１領域は他の領域である第２領域よりも少ないデータ量であり、その第１領域内にその端末装置２００で取得されたデータが含まれており、その第１領域のみの送受信をする通信方式を用いてその基地局を介して、ファイアウォール外の情報管理装置３００との間でデータの送受信を行う。
【００５８】
通信Ｄモジュール２１０は、データ取得Ｄモジュール２２０、制御モジュール２３０と接続されており、また、近距離無線通信１５５を介して中継装置１００と接続されている。通信Ｄモジュール２１０は、ファイアウォール内の中継装置１００と近距離無線通信をする。そして、その中継装置１００を介して、情報管理装置３００との間で通信を行う。
なお、通信Ｄモジュール２１０で通信を開始する際に、本端末装置２００の識別情報を含んだ情報（例えば、端末装置２００のアドレス情報又はパスコード情報）を発信し、その情報を受信した中継装置１００との通信を確立するようにしてもよい。
【００５９】
データ取得Ｃモジュール２１５は、通信Ｃモジュール２０５、制御モジュール２３０、センサー２２５ａ、センサー２２５ｂと接続されている。データ取得Ｃモジュール２１５は、センサー２２５からデータを取得する。そして、その取得したデータを、データ取得Ｃモジュール２１５は、通信Ｃモジュール２０５を介して情報管理装置３００に送信する。
【００６０】
データ取得Ｄモジュール２２０は、通信Ｄモジュール２１０、制御モジュール２３０、センサー２２５ａ、センサー２２５ｂ、センサー２２５ｃ、センサー２２５ｄと接続されている。データ取得Ｄモジュール２２０は、データ取得Ｃモジュール２１５が取得するデータより多くのデータをセンサー２２５から取得する。そして、その取得したデータを、データ取得Ｄモジュール２２０は、通信Ｄモジュール２１０、中継装置１００を介して、情報管理装置３００に送信する。前述したように、情報管理装置３００又は中継装置１００から送信されてきた指示情報内の指示にしたがって、例えば、データ取得Ｄモジュール２２０は、データ取得Ｃモジュール２１５がデータを取得するセンサー２２５よりも多くのセンサー２２５からデータを取得してもよいし、データ取得Ｃモジュール２１５がデータを取得する間隔よりも短い間隔でセンサー２２５からデータを取得してもよい。又は、データ取得Ｃモジュール２１５が通信Ｃモジュール２０５を介して情報管理装置３００にデータを送信する間隔よりも短い間隔で、データ取得Ｄモジュール２２０は、通信Ｄモジュール２１０、中継装置１００を介して情報管理装置３００にデータを送信するようにしてもよい。
【００６１】
センサー２２５は、データ取得Ｃモジュール２１５、データ取得Ｄモジュール２２０と接続されている。センサー２２５は、対象の状態を検知（検知には、測定の概念を含めてもよい）し、その検知結果をデータ取得Ｃモジュール２１５又はデータ取得Ｄモジュール２２０に渡す。前述したように、人体に関する情報を検知してもよいし、建物の状況を検知してもよいし、気象情報を検知してもよい。なお、センサー２２５は、１個以上あればよい。人体に関する情報を検知するセンサー２２５として、心拍センサー、体温センサー、脳波センサー、パルスオキシメーター等がある。
【００６２】
制御モジュール２３０は、通信Ｃモジュール２０５、通信Ｄモジュール２１０、データ取得Ｃモジュール２１５、データ取得Ｄモジュール２２０と接続されている。制御モジュール２３０は、第１モードである場合、データ取得Ｃモジュール２１５が取得したデータを、通信Ｃモジュール２０５を用いて情報管理装置３００に送信し、第２モードである場合、データ取得Ｄモジュール２２０が取得したデータを、通信Ｄモジュール２１０を用いて情報管理装置３００に送信するように制御する。具体的には、制御モジュール２３０は、データ取得Ｃモジュール２１５がセンサー２２５から取得したデータを、通信Ｃモジュール２０５を用いて情報管理装置３００に送信し、その通信Ｃモジュール２０５が基地局を介した通信から中継装置１００を介した通信を行うように指示する指示情報を受信した場合は、データ取得Ｄモジュール２２０が取得したデータを、通信Ｄモジュール２１０を用いて情報管理装置３００に送信するように制御する。もちろんのことながら、通信Ｄモジュール２１０から情報管理装置３００への経路は、近距離無線通信１５５、中継装置１００、ファイアウォール３５０、インターネット通信３５５である。
【００６３】
また、制御モジュール２３０は、通信Ｄモジュール２１０が中継装置１００からモード指示情報を受信した場合は、データ取得Ｄモジュール２２０が取得したデータを、通信Ｄモジュール２１０を用いて情報管理装置３００に送信するよう制御するようにしてもよい。ここでの「モード指示情報」は、第２モードでの動作を指示するモード指示情報である。
【００６４】
また、制御モジュール２３０は、通信Ｃモジュール２０５が情報管理装置３００から第２モードでの送信が不要である旨の情報を受信した場合は、データ取得Ｃモジュール２１５が取得したデータを、通信Ｃモジュール２０５を用いて情報管理装置３００に送信するよう制御するようにしてもよい。
【００６５】
また、制御モジュール２３０は、通信Ｃモジュール２０５が情報管理装置３００から第２モードでの送信が不要である旨の情報を受信した場合は、中継装置１００との通信Ｄモジュール２１０を用いた接続を解除するようにしてもよい。
【００６６】
中継装置１００については、図１の例を用いて前述した。情報管理装置３００は、図３の例を用いて後述する。
【００６７】
情報管理装置３００は、端末装置２００から送信されてきたデータを取得して、そのデータを管理する機能を有しており、図３の例に示すように、通信Ｅモジュール３０５、通信Ｆモジュール３１０、データ取得Ｅモジュール３１５、データ取得Ｆモジュール３２０、記憶制御モジュール３２５、記憶モジュール３３０、指示送信モジュール３３５を有している。
特に、情報管理装置３００は、第１モードよりもより多いデータ量のデータを必要とする第２モードとすべき端末装置２００を決定する。逆に、第２モードから第１モードに戻す端末装置２００を決定するようにしてもよい。
【００６８】
情報管理装置３００と端末装置２００との間では、（１）携帯電話通信網の基地局を介する通信方式Ｃ（長距離無線通信２５５）と、（２）中継装置１００とインターネットを介する通信ができる通信方式（インターネット通信３５５）、のいずれかを行うことができる。このような通信環境にあって、情報管理装置３００が、端末装置２００に対していずれかの通信を行わせるかについて指示したい場合がある。つまり、情報管理装置３００にとって、端末装置２００が取得したデータを取り扱うのに都合のよい通信経路を通じて、端末装置２００からデータを取得する。
本実施の形態である情報管理装置３００は、端末装置２００に対して、長距離無線通信２５５から近距離無線通信１５５（中継装置１００から情報管理装置３００へはインターネット通信３５５）に変更させるように指示する。また、逆に、情報管理装置３００は、端末装置２００に対して、近距離無線通信１５５から長距離無線通信２５５に変更させるように指示する。
【００６９】
通信Ｅモジュール３０５は、データ取得Ｅモジュール３１５、指示送信モジュール３３５と接続されている。通信Ｅモジュール３０５は、端末装置２００と携帯電話通信網の基地局との間の携帯電話通信における通信手順で用いられる固定長のデータ領域である第１領域と通信手順で通信確立した後にデータ通信で用いられ送信されるデータに応じた可変長の領域である第２領域のうち、その第１領域内にその端末装置２００で取得されたデータが含まれており、その第１領域のみの送受信をする通信方式を用いてその基地局を介してデータの送受信を行う。
長距離無線通信２５５は、「端末装置２００と携帯電話通信網の基地局との間の携帯電話通信における通信手順で用いられる固定長のデータ領域である第１領域と通信手順で通信確立した後にデータ通信で用いられ送信されるデータに応じた可変長の領域である第２領域のうち、その第１領域内にその端末装置２００で取得されたデータが含まれており、その第１領域のみの送受信をする通信方式」である。
ここでの「第１領域」は、携帯電話通信の通信手順において用いられ、制御情報が含まれている固定長の領域である。例えば、携帯電話通信ではコントロールプレーン（Ｃ−ｐｌａｎｅ）が該当する。「第２領域」は、前記した通信手順で用いられる制御情報の固定長の領域以外のデータ領域であって、通信手順により通信が確立した後に、送信したいデータを格納する可変長のデータ領域であり、ユーザーが利用するデータが含まれている領域である。このデータ領域は、送信するデータのために用意された領域であり、上限はあるものの、第１領域よりもデータ量が多く用意された領域である。例えば、携帯電話通信では音声データやパケットデータが入っているユーザープレーン（Ｕ−ｐｌａｎｅ）が該当する。
【００７０】
また、「通信Ｅモジュール３０５が行う通信方式」は、第１領域のみのデータの送受信を行い、第２領域を送受信に用いない。
この通信方式は、通信手順にのみ使われるデータ量の少ない固定長のデータの通信であり、通信帯域が小さく、データ送受信の手順も少ないため、低消費電力で通信が可能であり、可変で大きな通信帯域を用意する必要がある第２領域を用いた携帯電話通信の通信方式よりも安価で提供されることが可能である。
この通信方式として、ＬＰＷＡ（Ｌｏｗ  Ｐｏｗｅｒ，  Ｗｉｄｅ  Ａｒｅａの略）を利用してもよい。さらに、具体例として、ＮＩＤＤ（Ｎｏｎ−ＩＰ  Ｄａｔａ  Ｄｅｌｉｖｅｒｙの略）通信が該当する。
近年、ＩｏＴ機器から情報管理装置がデータを取得するための広域での通信手段として、現状の携帯電話通信よりも低消費電力、低ビットレートでの通信を可能としたＬＰＷＡの通信規格が提案されている。
ＬＰＷＡとして、ＳＩＧＦＯＸ、ＬｏＲａ、Ｗｉ-Ｆｉ  ＨａＬｏｗ、Ｗｉ−ＳＵＮなどが知られており、いずれもＢｌｕｅｔｏｏｔｈなどの近距離無線（〜数十ｍ程度）では満たせない範囲をカバーする無線アクセスである。特に、低消費電力、低ビットレート、広域カバレッジである通信方式である。これらはＮＩＤＤの代わりに適用可能である
【００７１】
なお、通信Ｅモジュール３０５は、端末装置２００と携帯電話通信網の基地局との間の携帯電話通信で扱うデータには少なくとも２つ以上の領域があり、その領域のうち第１領域は他の領域である第２領域よりも少ないデータ量であり、その第１領域内に端末装置２００で取得されたデータが含まれており、その第１領域のみの送受信をする通信方式を用いてその基地局を介してデータの送受信を行うようにしてもよい。また、前記した現状の携帯電話通信よりも低消費電力、低ビットレートでの通信を可能としたＬＰＷＡの通信規格の通信方式を用いて基地局を介してデータの送受信を行うようにしてもよい。
【００７２】
通信Ｆモジュール３１０は、データ取得Ｆモジュール３２０、指示送信モジュール３３５と接続されている。通信Ｆモジュール３１０は、ファイアウォール３５０で保護された通信回線に接続された中継装置１００とインターネット通信３５５を介して、端末装置２００と通信する。
【００７３】
データ取得Ｅモジュール３１５は、通信Ｅモジュール３０５、記憶制御モジュール３２５と接続されている。データ取得Ｅモジュール３１５は、端末装置２００から、その端末装置２００で取得された第１データとその端末装置２００の識別情報とを含むデータを、通信Ｅモジュール３０５を用いて取得する。
【００７４】
データ取得Ｆモジュール３２０は、通信Ｆモジュール３１０、記憶制御モジュール３２５と接続されている。データ取得Ｆモジュール３２０は、ファイアウォール３５０で保護された通信回線に接続された中継装置１００を介して、端末装置２００から、その端末装置２００で取得された第２データとその端末装置２００の識別情報とを含むデータを、通信Ｆモジュール３１０を用いて取得する。
【００７５】
記憶制御モジュール３２５は、データ取得Ｅモジュール３１５、データ取得Ｆモジュール３２０、記憶モジュール３３０と接続されている。記憶制御モジュール３２５は、データ取得Ｅモジュール３１５又はデータ取得Ｆモジュール３２０によって取得されたデータを、記憶モジュール３３０に記憶させるように制御する。なお、「データ取得Ｅモジュール３１５又はデータ取得Ｆモジュール３２０によって取得されたデータ」とは、詳細に説明すると、データ取得Ｅモジュール３１５によって取得された第１データと端末装置２００の識別情報とを含むデータ、又は、データ取得Ｆモジュール３２０によって取得された第２データと端末装置２００の識別情報とを含むデータ、である。
【００７６】
記憶モジュール３３０は、記憶制御モジュール３２５と接続されている。記憶モジュール３３０は、端末装置２００の識別情報と、その端末装置２００から取得したデータとを対応付けて記憶する。
【００７７】
指示送信モジュール３３５は、通信Ｅモジュール３０５、通信Ｆモジュール３１０と接続されている。指示送信モジュール３３５は、基地局を介した通信から中継装置１００を介した通信を行うように指示する指示情報を、通信Ｅモジュール３０５を用いて端末装置２００に送信する。つまり、指示送信モジュール３３５は、端末装置２００に対して、長距離無線通信２５５から近距離無線通信１５５に変更させる指示を行う。なお、その際の通信は、通信Ｅモジュール３０５を用いるようにした例を示したが、、通信Ｆモジュール３１０を用いるようにしてもよい。例えば、対象として端末装置２００が第１モードである場合は通信Ｅモジュール３０５を用いるようにしてもよいし、第２モードである場合は通信Ｆモジュール３１０を用いるようにしてもよい。また、対象として端末装置２００が第１モード又は第２モードのいずれのモードであっても、通信Ｅモジュール３０５、通信Ｆモジュール３１０のいずれか一方を用いるようにしてもよい。
【００７８】
第２データは、第１データよりも多いデータ量であってもよい。そして、指示送信モジュール３３５は、第１データより詳細なデータの取得が必要である場合に、第１モードから第２モードに変更させるための指示情報を送信するようにしてもよい。
そして、指示情報には、端末装置２００が取得すべき情報の種別を示す情報を含めるようにしてもよい。
さらに、指示情報には、第１データに含まれる情報の種別に加えて、その種別とは異なる種別を示す情報を含めるようにしてもよい。つまり、異なる種別のデータをも送信させるようにしたものである。例えば、第１モードでは、第１データとして心拍数を取得しており、第２モードでは、さらに加えて心電図情報、体温情報を追加する場合が該当する。
また、指示情報には、端末装置２００がデータを取得する間隔を示す情報を含めるようにしてもよい。第１モードから第２モードに変更させる場合、その取得の間隔を短くするものである。例えば、１日１回の測定を毎時間の測定にするような場合が該当する。
また、指示情報には、端末装置２００によるデータ送信の間隔を示す情報を含めるようにしてもよい。第１モードから第２モードに変更させる場合、その通信の間隔を短くするものである。例えば、１日１回の送信を毎時間の送信にするような場合が該当する。
【００７９】
また、指示情報には、端末装置２００が通信すべき中継装置１００に関する情報を含めるようにしてもよい。ここで「中継装置１００に関する情報」は、端末装置２００が中継装置１００と接続するための情報であって、例えば、中継装置１００のアドレス等がある。
端末装置２００の近傍に複数の中継装置１００があり、端末装置２００が中継装置１００と接続するにあたって、複数の中継装置１００から接続要求を受信しても、適切な中継装置１００を選ぶことができるようになる。
この場合、指示送信モジュール３３５は、端末装置２００の近傍にある中継装置１００が複数ある場合には、既に通信を行っている端末装置２００の数が少ない中継装置１００に関する情報を指示情報に含めるようにしてもよい。
【００８０】
また、指示情報には、インターネットを介した通信を行う場合における本情報管理装置３００のアドレスを含めるようにしてもよい。
端末装置２００は、携帯電話通信網における情報管理装置３００のアドレスは知っているが、通信Ｆモジュール３１０のインターネットにおける情報管理装置３００のアドレス（例えば、ＵＲＬ：Ｕｎｉｆｏｒｍ  Ｒｅｓｏｕｒｃｅ  Ｌｏｃａｔｏｒの略）は知らないので、知らせる必要がある。
ただし、中継装置１００が情報管理装置３００のアドレスを予め知っている場合は、中継装置１００が端末装置２００に送信するようにしてもよい。その場合、指示情報に本情報管理装置３００のアドレスを含めなくてもよい。
【００８１】
指示送信モジュール３３５は、データ取得Ｅモジュール３１５が取得した第１データが予め定められた条件で変動した場合、指示情報を送信するようにしてもよい。
その「予め定められた条件」として、端末装置２００によるデータ送信量が前回の通信より増えた場合とするようにしてもよい。
ここで「データ送信量」は、予め定められた期間内におけるデータ送信量である。データ送信量は、情報管理装置３００によるデータ受信量としてもよいし、端末装置２００が情報管理装置３００に送信したデータ送信量としてもよい。前者の場合、例えば、端末装置２００が送信すべきデータが増えつつあることを情報管理装置３００が検知してもよい。後者の場合、端末装置２００が情報管理装置３００にデータ送信量を送信してもよい。なお、データ送信量が増加する原因として、携帯電話通信網の通信状態が悪く、一回に送信するデータが多くなってきた場合等がある。
【００８２】
また、その「予め定められた条件」として、データ取得Ｅモジュール３１５が取得した第１データが予め定められた閾値を超えた場合とするようにしてもよい。
例えば、心拍数が急激に上昇したことにより、予め定められた閾値を超えた場合等が該当する。
【００８３】
また、その「予め定められた条件」として、データ取得Ｅモジュール３１５が取得した第１データが予め定められたパターンで変動した場合とするようにしてもよい。
例えば、心拍数が短期間に上下に変動等したことにより、データの内容の異常を検知する。
【００８４】
また、指示送信モジュール３３５は、データ取得Ｆモジュール３２０によって取得された第２データが、予め定められた前述の条件に適合しなくなった場合、中継装置１００を介した通信から基地局を介した通信を行うように変更する変更情報を送信するようにしてもよい。つまり、第２モードから第１モードに変更させるものである。
なお、「予め定められた前述の条件に適合しなくなった場合」に、さらに、その条件に適合しなくなってから予め定められた期間が経過していることを付加してもよい。
【００８５】
また、その「予め定められた条件」として、データ取得Ｅモジュール３１５による第１データの取得の間隔が過去の取得の間隔よりも長くなった場合とするようにしてもよい。
携帯電話通信網の通信状態が悪くなることが想定されるので、通信状態が悪くなった場合は、携帯電話通信網である長距離無線通信２５５の通信経路は使わずに、中継装置１００とインターネット通信３５５を使うように指示するものである。具体的には、第１モードでの通信間隔をログとして記憶しておき、過去（過去として直前に限定してもよい）の通信間隔よりも長時間となった場合は、第１モードから第２モードに変更させるものである。ただし、この場合、データ取得Ｆモジュール３２０が取得するデータは、第１データ（いわゆる通常データ）のままとなる。
【００８６】
また、記憶モジュール３３０は、端末装置２００の識別情報と端末装置２００の利用者の情報とを対応付けて記憶していてもよい。
そして、指示送信モジュール３３５は、データ取得Ｆモジュール３２０による第２データの取得が不可能である場合、端末装置２００の識別情報に対応する利用者へ通知を行うようにしてもよい。
具体的には、指示送信モジュール３３５は、端末装置２００から、中継装置１００を介した通信が不可能である旨の情報を受信した場合、端末装置２００の識別情報に対応する利用者へ通知を行うようにしてもよい。
また、指示送信モジュール３３５は、通信Ｆモジュール３１０による通信が不可能である場合、端末装置２００の識別情報に対応する利用者へ通知を行うようにしてもよい。
【００８７】
図４は、本実施の形態を利用したシステム構成例を示す説明図である。
この図４は、図２の例で示した端末装置２００を、各ユーザー４００が身につけており、そのユーザー４００の人体に関する情報を検知するウェアラブルコンピュータとした例を示すものである。いわゆる健康管理を行うサービスを想定した例を示すものである。端末装置２００は、ＩｏＴデバイスともいわれる。
拠点４５０は、例えば、会社等における部屋が該当する。例えば、社員であるユーザー４００がいる。ユーザー４００は、一般的には複数人であるが、一人であってもよい。
拠点４５０内に、中継装置１００が設置されている。中継装置１００は、いわゆるエッジサーバーの機能を有する。例えば、プリンタ、複合機（スキャナ、プリンタ、複写機、ファックス等のいずれか２つ以上の機能を有している画像処理装置）等が中継装置１００を内蔵していてもよい。そして、中継装置１００は、ファイアウォール３５０、インターネット３６０を介して、端末装置２００と情報管理装置３００間の通信を中継する。端末装置２００と中継装置１００間の通信は近距離無線通信１５５が用いられ、中継装置１００と情報管理装置３００間の通信はインターネット通信３５５が用いられる。そして、中継装置１００はファイアウォール３５０内にある。つまり、中継装置１００から情報管理装置３００への通信は可能であるが、情報管理装置３００から中継装置１００への通信は制限されることになる。
また、中継装置１００が近距離無線通信１５５できる範囲内にユーザー４００がいるとする。つまり、中継装置１００と端末装置２００とは通信可能であるとする。なお、近距離無線通信１５５は、前述の通信Ｂモジュール１１０が行う通信の一例であり、インターネット通信３５５は、前述の通信Ａモジュール１０５が行う通信の一例である。
【００８８】
情報管理装置３００は、人体に関する情報の管理サーバーとしての機能を有している。もちろんのことながら、情報管理装置３００による機能は、クラウドサービスとして実現してもよい。例えば、ユーザー４００の心拍数情報から、そのユーザー４００の体調不良、疲労等を検知し、そのユーザー４００又は他の人（例えば、上司等）に注意を促すようなメッセージを、電子メール等を用いて通知するようにしてもよい。
【００８９】
基地局４１０は、携帯基地局ともいわれ、電気通信事業者（いわゆるキャリア系）の基地局４１０であってもよいし、電気通信事業者以外（いわゆる独自系）の基地局４１０であってもよい。端末装置２００は基地局４１０と長距離無線通信２５５による通信を行う。長距離無線通信２５５は、公衆回線であって、定期通報、少量データの送信に用いる。長距離無線通信２５５は、前述の通信Ｃモジュール２０５、通信Ｅモジュール３０５が行う通信の一例である。なお、基地局４１０と情報管理装置３００は、インターネット通信３５５による通信を行ってもよいし、電話回線を用いた通信を行ってもよい。長距離無線通信２５５の一つの例として、具体的には、ＮＩＤＤ通信がある。携帯電話のプロトコルの通信制御を行う「コントロールプレーン」のみを利用するものである。つまり、音声データやパケットデータの「ユーザープレーン」は使用しないものである。そして、ＮＩＤＤ通信では、ＩＰは不要であり、ＩＭＳＩ情報で端末装置２００のＳＩＭを識別し、通信データ量が小さく、低消費電力であり、コントロールプレーンのみを使うので、極めて安価（無料を含めてもよい）でサービスすることが可能である。
【００９０】
通常時は、端末装置２００は、基地局４１０と長距離無線通信２５５による通信を行って、ユーザー４００の人体に関する情報を情報管理装置３００に送信する。なお、通常時とは、情報管理装置３００によって、ユーザー４００の健康上の異変を検知していない状態をいう。つまり、端末装置２００から詳細なデータを取得する必要がないと判断した状態であり、前述の第１モード（通常モード）である。
情報管理装置３００は、基地局４１０経由で送信されてきた端末装置２００からのデータを解析し、ユーザー４００の健康上の異変を検知した場合は、端末装置２００に対して詳細なデータを送信するように指示する。前述の第２モード（詳細モード）である。なお、この指示は、基地局４１０を介して、長距離無線通信２５５の通信によって行うようにしてもよい。「健康上の異変」として、例えば、体調が急変した、高残業が続いている、健康診断の結果に異常値がある等が該当する。なお、「体調が急変した」は、情報管理装置３００が、通常モードで取得したデータによって判断してもよい。「高残業が続いている」は、情報管理装置３００が、ユーザー４００の勤怠管理している勤怠管理装置から取得した残業データから判断してもよい。「健康診断の結果に異常値がある」は、情報管理装置３００が、ユーザー４００の健康診断の結果を管理しているヘルス管理装置から取得したデータから判断してもよい。なお、詳細データは通常モードでのデータよりもデータ量が多く、ＮＩＤＤ通信には適していない。そこで、中継装置１００、インターネット３６０を介した通信を行うように（第２モードへの設定を行うように）、情報管理装置３００が端末装置２００に指示をする。
この指示にしたがって、端末装置２００は、第２モードに設定し、詳細なデータを検知し、中継装置１００との近距離無線通信１５５による通信を確立し、中継装置１００を経由して情報管理装置３００に詳細なデータを送信するようにする。つまり、インターネット通信３５５は、状況変化時であって、大量なデータ又はデータの連続的送信に用いる。
【００９１】
そして、情報管理装置３００は、中継装置１００、インターネット３６０経由で送信されてきた端末装置２００からの詳細なデータを解析し、ユーザー４００の健康上の異変を検知した場合は、前述したように、ユーザー４００又は他の人にメッセージを、電子メール等を用いて通知する。
逆に、情報管理装置３００が、ユーザー４００の計測データが正常であると判断した場合は、第２モードから第１モードに変更させる指示を端末装置２００に対して行う。なお、この指示は、基地局４１０を介して、長距離無線通信２５５の通信によって行うようにしてもよい。また、長距離無線通信２５５では、端末装置２００と情報管理装置３００は双方向の通信が可能であり、インターネット通信３５５では、ファイアウォール３５０を介していることから、基本的には端末装置２００から情報管理装置３００への片方向の通信である。
【００９２】
図５は、本実施の形態による処理例（１）を示すチャートである。
ステップＳ５０２では、情報管理装置３００は、監視対象として端末装置Ａ：２００Ａを特定する。つまり、詳細モードにすべき端末装置Ａ：２００Ａを決定する。
ステップＳ５０４では、中継装置１００は、情報管理装置３００へ１日一回の定期アクセスを行う。例えば、毎朝予め定められた時刻にアクセスする。
ステップＳ５０６では、中継装置１００は、端末装置Ａ：２００Ａに対する詳細モード変更の情報を取得する。
【００９３】
ステップＳ５０８−Ａでは、各端末装置２００は、毎朝、ビーコンを発信する。
ステップＳ５０８−Ｂでは、各端末装置２００は、ＢＬＥビーコン（各端末装置２００の端末ＩＤ，端末アドレス）を中継装置１００に対して発信する。
【００９４】
ステップＳ５１０では、中継装置１００は、検知したビーコンに、詳細データを取得すべき（第２モードにすべき）端末装置Ａ：２００Ａがあったことを検知する。
ステップＳ５１２−Ａでは、中継装置１００は、端末装置Ａ：２００Ａとの間で、近距離通信接続を行う。
ステップＳ５１２−Ｂでは、端末装置Ａ：２００Ａと中継装置１００との間で、近距離無線通信接続を行う。
ステップＳ５１２−Ｃでは、端末装置Ａ：２００Ａは、中継装置１００と近距離通信接続を行う。
【００９５】
ステップＳ５１４−Ａでは、中継装置１００は、端末装置Ａ：２００Ａに詳細モードへの変更指示を送信することを決定する。
ステップＳ５１４−Ｂでは、中継装置１００は、端末装置Ａ：２００Ａに対して、詳細モードへ変更指示を送信する。
【００９６】
ステップＳ５１６では、端末装置Ａ：２００Ａは、詳細モードへの変更指示を受信して、詳細モードへ変更する。
ステップＳ５１８では、各端末装置２００は、生体データ（心拍数／体温／…）を取得する。ただし、詳細モードである端末装置Ａ：２００Ａは詳細なデータを取得し、通常モードである端末装置Ｂ：２００Ｂ、端末装置Ｃ：２００Ｃは通常データを取得する。
【００９７】
ステップＳ５２０−Ａでは、端末装置Ａ：２００Ａは、中継装置１００に対して詳細なデータを送信するように制御する。
ステップＳ５２０−Ｂでは、端末装置Ａ：２００Ａは、中継装置１００に対して詳細なデータを送信する。
【００９８】
ステップＳ５２２では、中継装置１００は、情報管理装置３００に対して、インターネットを用いて詳細データを送信する。
ステップＳ５２４では、情報管理装置３００は、端末装置Ａ：２００Ａから中継装置１００を介して詳細データを取得する。
【００９９】
ステップＳ５２６−Ａでは、端末装置Ｂ：２００Ｂ、端末装置Ｃ：２００Ｃは、基地局４１０に通常データを送信する。具体的には、以下のような処理を行う。
ステップＳ５２６−Ａ１では、端末装置Ｂ：２００Ｂは、基地局４１０に対して、定期送信（端末装置Ｂ：２００Ｂの端末ＩＤ，計測データ）を行う。
ステップＳ５２６−Ｂ１では、端末装置Ｃ：２００Ｃは、基地局４１０に対して、定期送信（端末装置Ｃ：２００Ｃの端末ＩＤ，計測データ）を行う。
ステップＳ５２６−Ａ２では、端末装置Ｂ：２００Ｂは、基地局４１０に対して、定期送信（端末装置Ｂ：２００Ｂの端末ＩＤ，計測データ）を行う。
ステップＳ５２６−Ｂ２では、端末装置Ｃ：２００Ｃは、基地局４１０に対して、定期送信（端末装置Ｃ：２００Ｃの端末ＩＤ，計測データ）を行う。
【０１００】
ステップＳ５２８−１では、基地局４１０は、情報管理装置３００へデータを転送する。
ステップＳ５２８−２では、基地局４１０は、情報管理装置３００へデータを転送する。
ステップＳ５３０−１では、情報管理装置３００は、端末装置Ｂ：２００Ｂ、端末装置Ｃ：２００Ｃの通常データを取得する。
ステップＳ５３０−２では、情報管理装置３００は、端末装置Ｂ：２００Ｂ、端末装置Ｃ：２００Ｃの通常データを取得する。
【０１０１】
ステップＳ５３２では、端末装置Ａ：２００Ａから詳細データは取得不要であると判断する。
ステップＳ５３４では、情報管理装置３００は、基地局４１０に対して、端末装置Ａ：２００Ａへ通常モードへの変更を指示する指示情報を送信する。
ステップＳ５３６では、基地局４１０は、端末装置Ａ：２００Ａへ通常モードへの変更指示を送信する。
【０１０２】
ステップＳ５３８では、端末装置Ａ：２００Ａは、通常モードへの変更指示を受信し、通常モードへ変更する。
ステップＳ５４０では、端末装置Ａ：２００Ａは、基地局４１０に対して、定期送信（端末装置Ａ：２００Ａの端末ＩＤ，計測データ）を行う。
【０１０３】
端末装置２００は、情報管理装置３００に対して長距離無線通信２５５によって計測されたデータを、例えば、送信データ６００を用いて送信する。図５の例に示したフローチャートにおけるステップＳ５２６、Ｓ５２８で、端末装置２００が情報管理装置３００に対して送信するデータであり、ステップＳ５３０で、情報管理装置３００が受信するデータに該当する。
図６は、送信データ６００のデータ構造例を示す説明図である。送信データ６００は、端末装置ＩＤ欄６０５、取得日時欄６１０、計測データＡ欄６１５を有している。端末装置ＩＤ欄６０５は、本実施の形態において、端末装置２００を一意に識別するための情報（具体的には端末装置ＩＤ：ＩＤｅｎｔｉｆｉｃａｔｉｏｎの略）を記憶している。取得日時欄６１０は、その端末装置２００がデータを計測した日時（年、月、日、時、分、秒、秒以下、又はこれらの組み合わせであってもよい）を記憶している。計測データＡ欄６１５は、例えば、センサー２２５ａによって計測されたデータＡを記憶している。
【０１０４】
情報管理装置３００は、例えば、ユーザー・端末装置対応テーブル７００又はユーザー・端末装置対応テーブル７５０を記憶して、ユーザー４００と端末装置２００の対応関係を管理している。これによって、端末装置２００から取得したデータは、誰（ユーザー４００）の体調を示すデータであるかがわかり、ユーザー４００の体調を管理することができる。
図７（ａ）は、ユーザー・端末装置対応テーブル７００のデータ構造例を示す説明図である。ユーザー・端末装置対応テーブル７００は、ユーザーＩＤ欄７０５、端末装置ＩＤ欄７１０を有している。ユーザーＩＤ欄７０５は、本実施の形態において、ユーザー４００を一意に識別するための情報（具体的にはユーザーＩＤ）を記憶している。端末装置ＩＤ欄７１０は、そのユーザー４００が身につけている端末装置２００の端末装置ＩＤを記憶している。
【０１０５】
ユーザー４００が、複数の端末装置２００を身につけている場合は、ユーザー・端末装置対応テーブル７５０を用いるようにしてもよい。
図７（ｂ）は、ユーザー・端末装置対応テーブル７５０のデータ構造例を示す説明図である。ユーザー・端末装置対応テーブル７５０は、ユーザーＩＤ欄７０５、端末装置数欄７５５、端末装置ＩＤ欄７６０等を有している。ユーザーＩＤ欄７０５は、ユーザーＩＤを記憶している。端末装置数欄７５５は、そのユーザー４００が身についている端末装置２００の数を記憶している。この数だけ、端末装置数欄７５５の後に端末装置ＩＤ欄７６０が続く。端末装置ＩＤ欄７６０は、そのユーザー４００が身についている端末装置ＩＤを記憶している。
【０１０６】
情報管理装置３００は、例えば、ユーザー管理テーブル８００を記憶している。ユーザー管理テーブル８００は、端末装置２００と通知先を管理するテーブルである。ユーザー４００の健康上の異常を検知した場合の連絡先を管理するものである。
図８は、ユーザー管理テーブル８００のデータ構造例を示す説明図である。ユーザー管理テーブル８００は、ユーザーＩＤ欄８０５、メールアドレス欄８１０を有している。ユーザーＩＤ欄８０５は、ユーザーＩＤを記憶している。メールアドレス欄８１０は、そのユーザー４００のメールアドレスを記憶している。なお、メールアドレスに限らず、そのユーザーに通知できるアドレスであればよい。例えば、チャット、電子掲示板、ＳＮＳ（Ｓｏｃｉａｌ  Ｎｅｔｗｏｒｋｉｎｇ  Ｓｅｒｖｉｃｅの略）にコミュニケーション機能、プッシュ通知、自動音声応答による電話発信等があり、電話発信として、例えば、Ｌｙｎｃ（登録商標）等を用いてもよい。また、そのユーザー４００のアドレスだけでなく、異常時の連絡先として、例えば、上司、家族等のアドレスを登録してもよい。
【０１０７】
情報管理装置３００は、例えば、端末装置・位置対応テーブル９００を記憶している。図９は、端末装置・位置対応テーブル９００のデータ構造例を示す説明図である。端末装置・位置対応テーブル９００は、端末装置ＩＤ欄９０５、位置情報欄９１０を有しており、位置情報欄９１０は、緯度欄９１２、経度欄９１４、高度欄９１６を有している。端末装置ＩＤ欄９０５は、端末装置ＩＤを記憶している。位置情報欄９１０は、その端末装置２００の位置情報を記憶している。緯度欄９１２は、緯度を記憶している。経度欄９１４は、経度を記憶している。高度欄９１６は、高度を記憶している。位置情報として、例えば、端末装置２００（又は、ユーザー４００が有しているスマートフォン等の携帯情報端末）からＧＰＳ情報を取得してもよい。
【０１０８】
情報管理装置３００は、ユーザー・計測データ対応テーブル１０００を用いて、ユーザー４００の健康状態を解析する。
図１０は、ユーザー・計測データ対応テーブル１０００のデータ構造例を示す説明図である。ユーザー・計測データ対応テーブル１０００は、端末装置２００から取得した送信データ６００、ユーザー・端末装置対応テーブル７００又はユーザー・端末装置対応テーブル７５０によって生成される。ユーザー・計測データ対応テーブル１０００は、ユーザーＩＤ欄１００５、取得日時欄１０１０、計測データ欄１０１５を有している。ユーザーＩＤ欄１００５は、ユーザーＩＤを記憶している。取得日時欄１０１０は、そのユーザー４００の計測データを取得した日時を記憶している。計測データ欄１０１５は、そのユーザー４００における計測データを記憶している。
【０１０９】
情報管理装置３００は、通常モードから詳細モードに変更する場合（又は、詳細モードから通常モードに変更する場合）に、端末装置２００に対して指示情報テーブル１１００を送信する。指示情報テーブル１１００は、指示情報の一例である。なお、この送信は、前述したように、長距離無線通信２５５経由で情報管理装置３００から端末装置２００へ送信するようにしてもよいし、中継装置１００から情報管理装置３００に対してアクセスがあった場合は、このアクセスに対する応答としてインターネット通信３５５経由で中継装置１００へ送信し、中継装置１００が近距離無線通信１５５経由で対象となる端末装置２００へ送信するようにしてもよい。なお、後者の場合にあっては、ファイアウォール３５０があっても、中継装置１００から情報管理装置３００に対してアクセスがあった後は、情報管理装置３００から中継装置１００へインターネット通信３５５経由による指示情報テーブル１１００の送信が可能である。具体例として、図１８の例を用いて後述するステップＳ１８０６の場合が該当する。また、モード変換に応じて、通信経路を異ならせてもよい。例えば、通常モードから詳細モードに変更する場合は、インターネット通信３５５経由にし、詳細モードから通常モードに変更する場合は、長距離無線通信２５５経由とするようにしてもよいし、逆に、通常モードから詳細モードに変更する場合は、長距離無線通信２５５経由にし、詳細モードから通常モードに変更する場合は、インターネット通信３５５経由とするようにしてもよい。
図１１は、指示情報テーブル１１００のデータ構造例を示す説明図である。指示情報テーブル１１００は、端末装置ＩＤ欄１１０５、指示欄１１１０、情報種別欄１１１５、取得間隔欄１１２０、送信間隔欄１１２５、中継装置ＩＤ欄１１３０、情報管理装置のアドレス欄１１３５を有している。端末装置ＩＤ欄１１０５は、指示先の端末装置２００の端末装置ＩＤを設定している。指示欄１１１０は、指示を設定している。指示欄１１１０には、例えば、（１）詳細モードへの設定指示、（２）通常モードへの設定指示、のいずれかが設定される。この他に、（３）通常モードから詳細モードへの変更指示、（４）詳細モードから通常モードへの変更指示、等を加えてもよい。情報種別欄１１１５は、情報種別を設定している。モードを変更した後、端末装置２００が取得すべきデータを指定するものである。情報種別として、例えば、心拍数、心電図情報、体温情報等がある。より具体的には、センサー２２５を指定する情報であってもよい。取得間隔欄１１２０は、モードを変更した後のデータの取得間隔を設定している。つまり、センサー２２５が検知する間隔である。詳細モードへの設定指示の場合は、通常モードの場合よりも短い間隔になるのが一般的である。送信間隔欄１１２５は、モードを変更した後のデータを情報管理装置３００に送信する間隔を設定している。詳細モードへの設定指示の場合は、通常モードの場合よりも短い間隔になるのが一般的である。中継装置ＩＤ欄１１３０は、本実施の形態において、中継装置を一意に識別するための情報（具体的には、中継装置ＩＤ）を設定している。つまり、詳細モードへの設定指示である場合に、端末装置２００が近距離無線通信１５５すべき中継装置１００を指定するものである。情報管理装置のアドレス欄１１３５は、情報管理装置３００のアドレスを設定している。具体的には、詳細モードへの設定指示である場合（より正確には、インターネット３６０を用いた通信を行う場合）に、情報管理装置３００のＵＲＬを設定する。このアドレスが送信データ６００又は後述する送信データ１２００の送信先となる。
【０１１０】
通常モードから詳細モードへの変更指示を受けた端末装置２００は、近距離無線通信１５５、中継装置１００、インターネット３６０を介して、情報管理装置３００に装置データ１２００を送信する。つまり、通常モードで送信していた送信データ６００よりも多くのデータ量である送信データ１２００を送信する。
図１２は、送信データ１２００のデータ構造例を示す説明図である。送信データ１２００は、端末装置ＩＤ欄１２０５、取得日時欄１２１０、計測データＡ欄１２１５Ａ、計測データＢ欄１２１５Ｂ等を有している。端末装置ＩＤ欄１２０５は、端末装置ＩＤを記憶している。取得日時欄１２１０は、データを計測した日時を記憶している。計測データＡ欄１２１５Ａは、例えば、センサー２２５ａによって計測された計測データＡを記憶している。計測データＢ欄１２１５Ｂは、例えば、センサー２２５ｂによって計測された計測データＢを記憶している。つまり、指示情報テーブル１１００の情報種別欄１１１５で指定された種別のデータを送信する。なお、取得日時欄１２１０は、個々の計測データ毎にあってもよい。
【０１１１】
図１３は、本実施の形態による処理例を示すフローチャートである。情報管理装置３００が行う処理例を示すものである。具体的には、指示情報テーブル１１００の中継装置ＩＤ欄１１３０の設定処理例を示すものである。
ステップＳ１３０２では、対象となっている端末装置２００の近傍にある中継装置１００を抽出する。端末装置・位置対応テーブル９００と中継装置・位置対応テーブル１４００を用いて、中継装置１００を抽出すればよい。
ステップＳ１３０４では、抽出した中継装置１００は複数あるか否かを判断し、複数ある場合はステップＳ１３０６へ進み、それ以外の場合はステップＳ１３１０へ進む。
【０１１２】
ステップＳ１３０６では、通信している端末装置２００の数が最小である中継装置１００を抽出する。中継処理の負荷が少ない中継装置１００を指定するためである。具体的には、中継装置・端末装置ペア管理テーブル１５００を用いて抽出すればよい。
ステップＳ１３０８では、指示情報にステップＳ１３０６で抽出した中継装置１００の中継装置ＩＤを含める。
ステップＳ１３１０では、指示情報にステップＳ１３０２で抽出した中継装置１００の中継装置ＩＤを含める。
ステップＳ１３０８、ステップＳ１３１０では、具体的には、指示情報テーブル１１００の中継装置ＩＤ欄１１３０に中継装置ＩＤを設定すればよい。
【０１１３】
情報管理装置３００は、例えば、中継装置・位置対応テーブル１４００を記憶している。図１４は、中継装置・位置対応テーブル１４００のデータ構造例を示す説明図である。中継装置１００についても、端末装置・位置対応テーブル９００と同様のテーブルを用いて管理している。具体的には、端末装置・位置対応テーブル９００の端末装置ＩＤ欄９０５を中継装置ＩＤとしたものである。
中継装置・位置対応テーブル１４００は、中継装置ＩＤ欄１４０５、位置情報欄１４１０を有しており、位置情報欄１４１０は、緯度欄１４１２、経度欄１４１４、高度欄１４１６を有している。中継装置ＩＤ欄１４０５は、中継装置ＩＤを記憶している。位置情報欄１４１０は、その中継装置１００の位置情報を記憶している。緯度欄１４１２は、緯度を記憶している。経度欄１４１４は、経度を記憶している。高度欄１４１６は、高度を記憶している。なお、中継装置１００は固定されている場合が多いので、中継装置１００の設置時に中継装置・位置対応テーブル１４００を生成してもよい。
【０１１４】
ステップＳ１３０６で、通信している端末装置２００の数を抽出するのに、中継装置・端末装置ペア管理テーブル１５００を用いる。この中継装置・端末装置ペア管理テーブル１５００も、情報管理装置３００が記憶している。
図１５は、中継装置・端末装置ペア管理テーブル１５００のデータ構造例を示す説明図である。中継装置・端末装置ペア管理テーブル１５００は、中継装置ＩＤ欄１５０５、端末装置数欄１５１０、端末装置ＩＤ欄１５１５等を有している。中継装置ＩＤ欄１５０５は、中継装置１００の中継装置ＩＤを記憶している。端末装置数欄１５１０は、その中継装置１００に近距離無線通信１５５によって接続されている端末装置２００の数を記憶している。端末装置ＩＤ欄１５１５は、その中継装置１００に接続されている端末装置２００の端末装置ＩＤを記憶している。
【０１１５】
図１６は、本実施の形態による処理例を示すフローチャートである。情報管理装置３００が、端末装置２００に対して、詳細モードに設定する場合の処理例を示すものである。
ステップＳ１６０２では、端末装置２００から取得した計測データを解析する。例えば、その端末装置２００を身につけているユーザー４００の健康状態（体調等を含む）を解析する。
ステップＳ１６０４では、詳細な計測データが必要であるか否かを判断し、必要な場合はステップＳ１６０６へ進み、それ以外の場合は処理を終了する（ステップＳ１６９９）。例えば、ユーザー４００の健康状態が、異変の可能性が高いこと、体調が急変したこと等を検知した場合に、詳細な計測データが必要であると判断し、ステップＳ１６０６へ進むことになる。
【０１１６】
ステップＳ１６０６では、詳細モードへの変更を指示する指示情報テーブル１１００を生成する。具体的には、情報管理装置３００は、指示情報テーブル１１００の指示欄１１１０に、通常モードから詳細モードへの変更指示を設定する。その他、情報種別欄１１１５等を設定する。
ステップＳ１６０８では、通信Ｅモジュール３０５を用いて、端末装置２００に指示情報テーブル１１００を送信する。
【０１１７】
ステップＳ１６０２、ステップＳ１６０４の処理として、例えば、次のような処理を行う。
（１）端末装置２００から取得した計測データが予め定められた閾値と比較して、異常値である場合に、詳細な計測データが必要と判断する。
（２）端末装置２００から取得した時系列の計測データ群が予め定められたパターンと比較して、異常パターンである場合に、詳細な計測データが必要と判断する。
（３）端末装置２００の送信量を取得し、予め定められた閾値より大又は以上である場合に、詳細な計測データが必要と判断する。これは、通信方式を変更することを主目的とするものである。
【０１１８】
図１７は、本実施の形態による処理例を示すフローチャートである。情報管理装置３００が、端末装置２００に対して、通常モードに設定する場合の処理例を示すものである。詳細モードである端末装置２００に対する処理例を示すものである。
ステップＳ１７０２では、端末装置２００から取得した詳細な計測データを解析する。
ステップＳ１７０４では、通常モードに戻してもよいか否かを判断し、戻してもよい場合はステップＳ１７０６へ進み、それ以外の場合は処理を終了する（ステップＳ１７９９）。
【０１１９】
ステップＳ１７０６では、通常モードへの変更を指示する指示情報テーブル１１００を生成する。具体的には、情報管理装置３００は、指示情報テーブル１１００の指示欄１１１０に、詳細モードから通常モードへの変更指示を設定する。その他、情報種別欄１１１５等を設定してもよいし、通常モードへの変更指示の場合は、初期状態に戻す（いわゆるイニシャライズする）ようにしてもよい。
ステップＳ１７０８では、通信Ｅモジュール３０５を用いて、端末装置２００に指示情報テーブル１１００を送信する。
【０１２０】
図１８は、本実施の形態による処理例（２）を示すチャートである。
ステップＳ１８０２では、情報管理装置３００は、監視対象として端末装置Ａ：２００Ａを特定する。つまり、詳細モードにすべき端末装置Ａ：２００Ａを決定する。
ステップＳ１８０４では、中継装置１００は、情報管理装置３００へ１日一回の定期アクセスを行う。例えば、毎朝予め定められた時刻にアクセスする。
ステップＳ１８０６では、中継装置１００は、端末装置Ａ：２００Ａに対する詳細モード変更の情報を取得する。
【０１２１】
ステップＳ１８０８−Ａでは、中継装置１００は、各端末装置２００へ毎朝、ビーコンを発信する。
ステップＳ１８０８−Ｂでは、中継装置１００は、ＢＬＥビーコン（端末装置Ａ：２００ＡのＩＤ、中継装置１００の接続情報）を送信する。この処理は、第２モードにすべき端末装置Ａ：２００Ａを識別する情報を含む広告情報を出力する処理の一例である。
ステップＳ１８１０では、各端末装置２００がビーコンを検知する。
ステップＳ１８１２では、端末装置Ａ：２００Ａが、中継装置１００に対して、接続を要求する。つまり、端末装置Ａ：２００Ａは、中継装置１００から受信したビーコン内に自分自身（端末装置Ａ：２００Ａ）の識別情報があることを検知した場合に、中継装置１００に対して、接続を要求する。
【０１２２】
ステップＳ１８１４−Ａでは、端末装置Ａ：２００Ａは、中継装置１００と近距離通信接続を行う。
ステップＳ１８１４−Ｂでは、端末装置Ａ：２００Ａと中継装置１００の間で、距離無線通信接続を行う。
ステップＳ１８１４−Ｃでは、中継装置１００は、端末装置Ａ：２００Ａとの間で、近距離通信接続を行う。
【０１２３】
ステップＳ１８１６−Ａでは、中継装置１００は、端末装置Ａ：２００Ａに詳細モードへの変更指示を送信することを決定する。
ステップＳ１８１６−Ｂでは、中継装置１００は、端末装置Ａ：２００Ａに対して、詳細モードへの変更指示を送信する。
【０１２４】
ステップＳ１８１８では、端末装置Ａ：２００Ａは、詳細モードへの変更指示を受信して、詳細モードへ変更する。
ステップＳ１８２０では、各端末装置２００は、生体データ（心拍数／体温／…）を取得する。ただし、詳細モードである端末装置Ａ：２００Ａは詳細なデータを取得し、通常モードである端末装置Ｂ：２００Ｂ、端末装置Ｃ：２００Ｃは通常データを取得する。
【０１２５】
ステップＳ１８２２−Ａでは、端末装置Ａ：２００Ａは、中継装置１００に対して、詳細データを送信するように制御する。
ステップＳ１８２２−Ｂでは、端末装置Ａ：２００Ａは、中継装置１００に対して、詳細データを送信する。
【０１２６】
ステップＳ１８２４では、中継装置１００は、情報管理装置３００に対して、インターネットを用いて詳細データを送信する。
ステップＳ１８２６では、情報管理装置３００は、端末装置Ａ：２００Ａから詳細データを取得する。
【０１２７】
ステップＳ１８２８−Ａでは、端末装置Ｂ：２００Ｂ、端末装置Ｃ：２００Ｃは、基地局４１０に通常データを送信する。具体的には、以下のような処理を行う。
ステップＳ１８２８−Ａ１では、端末装置Ｂ：２００Ｂは、基地局４１０に対して、定期送信（端末装置Ｂ：２００Ｂの端末ＩＤ，計測データ）を行う。
ステップＳ１８２８−Ｂ１では、端末装置Ｃ：２００Ｃは、基地局４１０に対して、定期送信（端末装置Ｃ：２００Ｃの端末ＩＤ，計測データ）を行う。
ステップＳ１８２８−Ａ２では、端末装置Ｂ：２００Ｂは、基地局４１０に対して、定期送信（端末装置Ｂ：２００Ｂの端末ＩＤ，計測データ）を行う。
ステップＳ１８２８−Ｂ２では、端末装置Ｃ：２００Ｃは、基地局４１０に対して、定期送信（端末装置Ｃ：２００Ｃの端末ＩＤ，計測データ）を行う。
【０１２８】
ステップＳ１８３０−１では、基地局４１０は、情報管理装置３００へデータを転送する。
ステップＳ１８３０−２では、基地局４１０は、情報管理装置３００へデータを転送する。
ステップＳ１８３２−１では、情報管理装置３００は、端末装置Ｂ：２００Ｂ、端末装置Ｃ：２００Ｃの通常データを取得する。
ステップＳ１８３２−２では、情報管理装置３００は、端末装置Ｂ：２００Ｂ、端末装置Ｃ：２００Ｃの通常データを取得する。
【０１２９】
ステップＳ１８３４では、端末装置Ａ：２００Ａから詳細データは取得不要であると判断する。
ステップＳ１８３６では、情報管理装置３００は、基地局４１０に対して、端末装置Ａ：２００Ａへ通常モードへの変更を指示する指示情報を送信する。
ステップＳ１８３８では、基地局４１０は、端末装置Ａ：２００Ａへ通常モードへの変更指示を送信する。
【０１３０】
ステップＳ１８４０では、端末装置Ａ：２００Ａは、通常モードへの変更指示を受信し、通常モードへ変更する。
ステップＳ１８４２では、端末装置Ａ：２００Ａは、基地局４１０に対して、定期送信（端末装置Ａ：２００Ａの端末ＩＤ，計測データ）を行う。
【０１３１】
図１９は、本実施の形態による処理例（３）を示すチャートである。
ステップＳ１９０２では、情報管理装置３００は、監視対象として端末装置Ａ：２００Ａを特定する。つまり、詳細モードにすべき端末装置Ａ：２００Ａを決定する。
ステップＳ１９０４では、中継装置１００は、情報管理装置３００へ１日一回の定期アクセスを行う。例えば、毎朝予め定められた時刻にアクセスする。
ステップＳ１９０６では、中継装置１００は、端末装置Ａ：２００Ａに対する詳細モード変更の情報を取得する。
【０１３２】
ステップＳ１９０８−Ａでは、各端末装置２００は、毎朝、ビーコンを発信する。
ステップＳ１９０８−Ｂでは、各端末装置２００は、ＢＬＥビーコン（各端末装置２００の端末ＩＤ，端末アドレス）を中継装置１００に対して発信する。
【０１３３】
ステップＳ１９１０では、中継装置１００は、検知したビーコンに、詳細データを取得すべき（第２モードにすべき）端末装置Ａ：２００Ａがあったことを検知する。
ステップＳ１９１２−Ａでは、中継装置１００は、端末装置Ａ：２００Ａとの間で、近距離通信接続を行う。
ステップＳ１９１２−Ｂでは、端末装置Ａ：２００Ａと中継装置１００との間で、近距離無線通信接続を行う。
ステップＳ１９１２−Ｃでは、端末装置Ａ：２００Ａは、中継装置１００と近距離通信接続を行う。
【０１３４】
ステップＳ１９１４−Ａでは、中継装置１００は、端末装置Ａ：２００Ａに詳細モードへの変更指示を送信することを決定する。
ステップＳ１９１４−Ｂでは、中継装置１００は、端末装置Ａ：２００Ａに対して、詳細モードへ変更指示を送信する。
【０１３５】
ステップＳ１９１６では、端末装置Ａ：２００Ａは、詳細モードへの変更指示を受信して、詳細モードへ変更する。
ステップＳ１９１８では、各端末装置２００は、生体データ（心拍数／体温／…）を取得する。ただし、詳細モードである端末装置Ａ：２００Ａは詳細なデータを取得し、通常モードである端末装置Ｂ：２００Ｂ、端末装置Ｃ：２００Ｃは通常データを取得する。
【０１３６】
ステップＳ１９２０−Ａでは、端末装置Ａ：２００Ａは、中継装置１００に対して詳細なデータを送信するように制御する。
ステップＳ１９２０−Ｂでは、端末装置Ａ：２００Ａは、中継装置１００に対して詳細なデータを送信する。
【０１３７】
ステップＳ１９２２では、中継装置１００は、情報管理装置３００に対して、インターネットを用いて詳細データを送信する。
ステップＳ１９２４では、情報管理装置３００は、端末装置Ａ：２００Ａから詳細データを取得する。
【０１３８】
ステップＳ１９２６−Ａでは、端末装置Ｂ：２００Ｂ、端末装置Ｃ：２００Ｃは、基地局４１０に通常データを送信する。具体的には、以下のような処理を行う。
ステップＳ１９２６−Ａ１では、端末装置Ｂ：２００Ｂは、基地局４１０に対して、定期送信（端末装置Ｂ：２００Ｂの端末ＩＤ，計測データ）を行う。
ステップＳ１９２６−Ｂ１では、端末装置Ｃ：２００Ｃは、基地局４１０に対して、定期送信（端末装置Ｃ：２００Ｃの端末ＩＤ，計測データ）を行う。
ステップＳ１９２６−Ａ２では、端末装置Ｂ：２００Ｂは、基地局４１０に対して、定期送信（端末装置Ｂ：２００Ｂの端末ＩＤ，計測データ）を行う。
ステップＳ１９２６−Ｂ２では、端末装置Ｃ：２００Ｃは、基地局４１０に対して、定期送信（端末装置Ｃ：２００Ｃの端末ＩＤ，計測データ）を行う。
【０１３９】
ステップＳ１９２８−１では、基地局４１０は、情報管理装置３００へデータを転送する。
ステップＳ１９２８−２では、基地局４１０は、情報管理装置３００へデータを転送する。
ステップＳ１９３０−１では、情報管理装置３００は、端末装置Ｂ：２００Ｂ、端末装置Ｃ：２００Ｃの通常データを取得する。
ステップＳ１９３０−２では、情報管理装置３００は、端末装置Ｂ：２００Ｂ、端末装置Ｃ：２００Ｃの通常データを取得する。
【０１４０】
ステップＳ１９３２では、端末装置Ａ：２００Ａから詳細データは取得不要であると判断する。
ステップＳ１９３４では、情報管理装置３００は、基地局４１０に対して、端末装置Ａ：２００Ａへ通常モードへの変更を指示する指示情報を送信する。
ステップＳ１９３６では、基地局４１０は、端末装置Ａ：２００Ａへ通常モードへの変更指示を送信する。
【０１４１】
ステップＳ１９３８では、端末装置Ａ：２００Ａは、中継装置１００に対して、詳細データを送信し、「通常モードへの変更」を通知する。ここで送信する詳細データは、前回の詳細データを送信した後に測定した詳細データである。
ステップＳ１９４０では、中継装置１００は、端末装置Ａ：２００Ａが通常モードであることを管理する。
【０１４２】
ステップＳ１９４２では、中継装置１００は、端末装置Ａ：２００Ａに対して、通常モードへの変更指示を送信する。なお、ステップＳ１９４２を不要としてもよい。その場合、端末装置Ａ：２００Ａは、ステップＳ１９３６による「通常モードへの変更指示」にしたがって、ステップＳ１９４４の処理を行えばよい。
ステップＳ１９４４では、端末装置Ａ：２００Ａは、通常モードへの変更指示を受信し、通常モードへ変更する。
【０１４３】
ステップＳ１９４６では、中継装置１００は、端末装置Ａ：２００Ａとの近距離無線通信を解除する。
ステップＳ１９４８では、端末装置Ａ：２００Ａは、中継装置１００との近距離無線通信を解除する。
ステップＳ１９５０では、端末装置Ａ：２００Ａは、基地局４１０に対して、定期送信（端末装置Ａ：２００Ａの端末ＩＤ，計測データ）を行う。
【０１４４】
図２０を参照して、本実施の形態の中継装置１００のハードウェア構成例について説明する。図２０に示す構成は、例えばパーソナルコンピュータ等によって構成されるものであり、スキャナ等のデータ読み取り部２０１７と、プリンタ等のデータ出力部２０１８を備えたハードウェア構成例を示している。
【０１４５】
ＣＰＵ（Ｃｅｎｔｒａｌ  Ｐｒｏｃｅｓｓｉｎｇ  Ｕｎｉｔの略）２００１は、前述の実施の形態において説明した各種のモジュール、すなわち、中継装置１００としての機能を果たすための通信Ａモジュール１０５、通信Ｂモジュール１１０、制御モジュール１２０等の実行シーケンスを記述したコンピュータ・プログラムにしたがった処理を実行する制御部である。
【０１４６】
ＲＯＭ（Ｒｅａｄ  Ｏｎｌｙ  Ｍｅｍｏｒｙの略）２００２は、ＣＰＵ２００１が使用するプログラムや演算パラメータ等を格納する。ＲＡＭ（Ｒａｎｄｏｍ  Ａｃｃｅｓｓ  Ｍｅｍｏｒｙの略）２００３は、ＣＰＵ２００１の実行において使用するプログラムや、その実行において適宜変化するパラメータ等を格納する。これらはＣＰＵバス等から構成されるホストバス２００４により相互に接続されている。
【０１４７】
ホストバス２００４は、ブリッジ２００５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅの略）バス等の外部バス２００６に接続されている。
【０１４８】
キーボード２００８、マウス等のポインティングデバイス２００９は、操作者により操作されるデバイスである。ディスプレイ２０１０は、液晶表示装置又はＣＲＴ（Ｃａｔｈｏｄｅ  Ｒａｙ  Ｔｕｂｅの略）等があり、各種情報をテキストやイメージ情報として表示する。また、ポインティングデバイス２００９とディスプレイ２０１０の両方の機能を備えているタッチスクリーン等であってもよい。その場合、キーボードの機能の実現について、キーボード２００８のように物理的に接続しなくても、画面（例えば、タッチスクリーン）上にソフトウェアでキーボード（いわゆるソフトウェアキーボード、スクリーンキーボード等ともいわれる）を描画して、キーボードの機能を実現するようにしてもよい。
【０１４９】
ＨＤＤ（Ｈａｒｄ  Ｄｉｓｋ  Ｄｒｉｖｅの略）２０１１は、ハードディスク（ハードディスク以外に、フラッシュ・メモリ等であってもよい）を内蔵し、ハードディスクを駆動し、ＣＰＵ２００１によって実行するプログラムや情報を記録又は再生させる。記憶モジュール１１５としての機能を有しており、通信用の各種データ、各種コンピュータ・プログラム等が格納される。
【０１５０】
ドライブ２０１２は、装着されている磁気ディスク、光ディスク、光磁気ディスク、又は半導体メモリ等のリムーバブル記録媒体２０１３に記録されているデータ又はプログラムを読み出して、そのデータ又はプログラムを、インタフェース２００７、外部バス２００６、ブリッジ２００５、及びホストバス２００４を介して接続されているＲＡＭ２００３に供給する。なお、リムーバブル記録媒体２０１３も、データ記録領域として利用可能である。
【０１５１】
接続ポート２０１４は、外部接続機器２０１５を接続するポートであり、ＵＳＢ、ＩＥＥＥ１３９４等の接続部を持つ。接続ポート２０１４は、インタフェース２００７、及び外部バス２００６、ブリッジ２００５、ホストバス２００４等を介してＣＰＵ２００１等に接続されている。通信部２０１６は、通信回線に接続され、外部とのデータ通信処理を実行する。具体的には、端末装置２００との近距離無線通信１５５によるペアの確立、通信、そして、情報管理装置３００とのインターネット３６０による通信を行う。データ読み取り部２０１７は、例えばスキャナであり、ドキュメントの読み取り処理を実行する。データ出力部２０１８は、例えばプリンタであり、ドキュメントデータの出力処理を実行する。
【０１５２】
また、本実施の形態である端末装置２００、情報管理装置３００としてのプログラムが実行されるコンピュータのハードウェア構成は、図２１に例示するように、一般的なコンピュータであり、具体的にはパーソナルコンピュータ、サーバーとなり得るコンピュータ等である。つまり、具体例として、処理部（演算部）としてＣＰＵ２１０１を用い、記憶装置としてＲＡＭ２１０２、ＲＯＭ２１０３、ＨＤＤ２１０４を用いている。ＨＤＤ２１０４として、例えば、ＨＤＤ（Ｈａｒｄ  Ｄｉｓｋ  Ｄｒｉｖｅの略）、フラッシュ・メモリであるＳＳＤ（Ｓｏｌｉｄ  Ｓｔａｔｅ  Ｄｒｉｖｅの略）等を用いてもよい。通信Ｃモジュール２０５、通信Ｄモジュール２１０、データ取得Ｃモジュール２１５、データ取得Ｄモジュール２２０、制御モジュール２３０、通信Ｅモジュール３０５、通信Ｆモジュール３１０、データ取得Ｅモジュール３１５、データ取得Ｆモジュール３２０、記憶制御モジュール３２５、指示送信モジュール３３５等のプログラムを実行するＣＰＵ２１０１と、そのプログラムやデータを記憶するＲＡＭ２１０２と、本コンピュータを起動するためのプログラム等が格納されているＲＯＭ２１０３と、記憶モジュール３３０等としての機能を有する補助記憶装置であるＨＤＤ２１０４と、キーボード、マウス、タッチスクリーン、マイク、カメラ（視線検知カメラ等を含む）等に対する利用者の操作（動作、音声、視線等を含む）に基づいてデータを受け付ける受付装置２１０６と、ＣＲＴ、液晶ディスプレイ、スピーカー等の出力装置２１０５と、ネットワークインタフェースカード等の通信ネットワークと接続するための通信回線インタフェース２１０７、そして、それらをつないでデータのやりとりをするためのバス２１０８により構成されている。これらのコンピュータが複数台互いにネットワークによって接続されていてもよい。
【０１５３】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図２０、図２１に示すハードウェア構成は、１つの構成例を示すものであり、本実施の形態は、図２０、図２１に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）や再構成可能な集積回路（ｆｉｅｌｄ−ｐｒｏｇｒａｍｍａｂｌｅ  ｇａｔｅ  ａｒｒａｙ：ＦＰＧＡ）等）で構成してもよく、一部のモジュールは外部のシステム内にあり通信回線で接続している形態でもよく、さらに図２０、図２１に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機などに組み込まれていてもよい。
【０１５４】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌの略）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【０１５５】
１００…中継装置
１０５…通信Ａモジュール
１１０…通信Ｂモジュール
１１５…記憶モジュール
１２０…制御モジュール
１５５…近距離無線通信
２００…端末装置
２０５…通信Ｃモジュール
２１０…通信Ｄモジュール
２１５…データ取得Ｃモジュール
２２０…データ取得Ｄモジュール
２２５…センサー
２３０…制御モジュール
２５５…長距離無線通信
３００…情報管理装置
３０５…通信Ｅモジュール
３１０…通信Ｆモジュール
３１５…データ取得Ｅモジュール
３２０…データ取得Ｆモジュール
３２５…記憶制御モジュール
３３０…記憶モジュール
３３５…指示送信モジュール
３５０…ファイアウォール
３５５…インターネット通信
３６０…インターネット
４００…ユーザー
４１０…基地局
４５０…拠点
【図１】
2020205508.tif 000003
【図２】
2020205508.tif 000004
【図３】
2020205508.tif 000005
【図４】
2020205508.tif 000006
【図５】
2020205508.tif 000007
【図６】
2020205508.tif 000008
【図７】
2020205508.tif 000009
【図８】
2020205508.tif 000010
【図９】
2020205508.tif 000011
【図１０】
2020205508.tif 000012
【図１１】
2020205508.tif 000013
【図１２】
2020205508.tif 000014
【図１３】
2020205508.tif 000015
【図１４】
2020205508.tif 000016
【図１５】
2020205508.tif 000017
【図１６】
2020205508.tif 000018
【図１７】
2020205508.tif 000019
【図１８】
2020205508.tif 000020
【図１９】
2020205508.tif 000021
【図２０】
2020205508.tif 000022
【図２１】
2020205508.tif 000023